(57)【要約】印刷制御システム１は、印刷装置として機能する複合機２００と、無線通信ネットワーク５００を介して複合機２００に接続可能な、携帯型の閲覧端末１００とを含む。複合機２００はタグリーダを備え、閲覧端末１００が備える無線タグとの間で無線通信を行い、閲覧端末１００との距離を測定する。閲覧端末１００との距離が予め定められた第１距離以下になると、複合機２００は、閲覧端末１００にコンテンツの送信を要求し、閲覧端末１００は、要求に応じて複合機２００にコンテンツを送信する。複合機２００は、送信されたコンテンツを記憶しておき、閲覧端末１００との距離が予め定められた第２の距離以下になると、印刷を開始する。
2008117785.tif 000002
【特許請求の範囲】
【請求項１】
コンテンツを表示する表示画面を有する閲覧端末と、前記コンテンツを印刷する印刷手段を有する複数の印刷装置とを備えた印刷制御システムであって、  前記閲覧端末および前記印刷装置の少なくともいずれかは、前記閲覧端末と前記印刷装置との距離を算出する距離算出手段を備え、  前記閲覧端末は、  前記表示画面に表示させる前記コンテンツを記憶するコンテンツ記憶手段と、  前記複数の印刷装置のうち、前記距離算出手段により算出された前記距離が、前記コンテンツの印刷指示の送受信を開始する距離として予め設定された第１距離以下になった印刷装置に対して、前記コンテンツ記憶手段に記憶された前記コンテンツの印刷指示を、無線通信を介して送信する印刷指示送信手段とを備え、  前記印刷装置は、  前記閲覧端末の前記印刷指示送信手段から送信された前記印刷指示を受信する印刷指示受信手段と、  前記印刷指示受信手段によって受信された前記印刷指示を記憶する受信指示記憶手段と、  前記距離算出手段により算出された前記距離が、前記第１距離よりも短く、前記コンテンツの印刷を開始する距離として予め設定された第２距離以下になった場合に、前記受信指示記憶手段に記憶された前記印刷指示に基づいて前記コンテンツを印刷するように前記印刷手段を制御する印刷制御手段とを備えたことを特徴とする印刷制御システム。
【請求項２】
前記閲覧端末は、  前記印刷装置からの前記印刷指示の送信要求を、無線通信を介して受信する要求受信手段をさらに備え、  前記印刷指示送信手段は、前記要求受信手段によって受信された前記送信要求に応じて、前記印刷装置に対して前記印刷指示を送信し、  前記印刷装置は、  前記距離算出手段と、  前記距離算出手段によって算出された前記距離が前記第１距離以下になった場合に、前記閲覧端末に対して、無線通信を介して、前記印刷指示の送信を要求する送信要求手段とをさらに備え、  前記印刷制御手段は、前記距離算出手段によって算出された前記距離が前記第２距離以下になった場合に、前記印刷指示に基づいて前記コンテンツを印刷するように前記印刷手段を制御することを特徴とする請求項１に記載の印刷制御システム。
【請求項３】
前記距離算出手段は、前記閲覧端末が備える無線タグとの間で無線通信により距離測定信号の送受信を行い、前記距離測定信号の送受信状態に基づいて前記閲覧端末との距離を算出することを特徴とする請求項２に記載の印刷制御システム。
【請求項４】
コンテンツを表示する表示画面を有する閲覧端末から送信された前記コンテンツの印刷指示に基づいて前記コンテンツを印刷する印刷手段を備えた印刷装置であって、  前記閲覧端末との距離が、前記コンテンツの印刷指示の送受信を開始する距離として予め設定された第１距離以下になった場合に、無線通信を介して前記閲覧端末から送信された前記印刷指示を受信する印刷指示受信手段と、  前記印刷指示受信手段によって受信された前記印刷指示を記憶する受信指示記憶手段と、  前記距離が、前記第１距離よりも短く、前記コンテンツの印刷を開始する距離として予め設定された第２距離以下になった場合に、前記受信指示記憶手段に記憶された前記印刷指示に基づいて前記コンテンツを印刷するように前記印刷手段を制御する印刷制御手段とを備えたことを特徴とする印刷装置。
【請求項５】
前記距離を算出する距離算出手段と、  前記距離算出手段によって算出された前記距離が前記第１距離以下になった場合に、前記閲覧端末に対して、無線通信を介して前記印刷指示の送信を要求する送信要求手段とをさらに備え、  前記印刷制御手段は、前記距離算出手段によって算出された前記距離が前記第２距離以下になった場合に、前記コンテンツを印刷するように前記印刷手段を制御することを特徴とする請求項４に記載の印刷装置。
【請求項６】
前記距離算出手段は、前記閲覧端末が備える無線タグとの間で無線通信により距離測定信号の送受信を行い、前記距離測定信号の送受信状態に基づいて前記無線閲覧端末との距離を算出することを特徴とする請求項５に記載の印刷装置。
【請求項７】
前記受信指示記憶手段に前記印刷指示を記憶した後、前記距離が、前記第１距離以上であって、前記印刷指示を消去する距離として予め設定された第３距離以上になった場合に、前記受信指示記憶手段に記憶された前記印刷指示を消去する指示消去手段をさらに備えたことを特徴とする請求項４〜６のいずれかに記載の印刷装置。
【請求項８】
前記距離が第３距離以上になった時からの経過時間を計測する経過時間計測手段をさらに備え、  前記指示消去手段は、前記経過時間計測手段により計測された前記経過時間が、前記印刷指示を消去する時間として予め設定された消去時間以上になった時に、前記受信指示記憶手段に記憶された前記印刷指示を消去することを特徴とする請求項７に記載の印刷装置。
【請求項９】
前記距離が、前記第３距離以上になった場合に、前記印刷指示の送信要求を行わない時間として予め設定された待機時間を経過するまでは、前記送信要求手段により送信要求を行わないように待機する待機手段をさらに備えたことを特徴とする請求項７または８に記載の印刷装置。
【請求項１０】
前記距離が、前記第１距離よりも短く前記第２距離よりも長く、前記コンテンツを印刷するか否かの最終確認を行う距離として予め設定された第４距離以下になった場合に、前記閲覧端末に対して、無線通信を介して前記コンテンツを印刷するか否かの最終確認を行う印刷確認手段をさらに備えたことを特徴とする請求項４〜９のいずれかに記載の印刷装置。
【請求項１１】
請求項４〜１０のいずれかに記載の印刷装置の各種処理手段としてコンピュータを機能させるための印刷プログラムを記憶した、コンピュータで読取り可能な記録媒体。
【請求項１２】
コンテンツを表示する表示画面を備え、前記コンテンツを印刷する印刷手段を有する複数の印刷装置に対して前記コンテンツの印刷指示を送信可能な閲覧端末であって、  前記表示画面に表示させる前記コンテンツを記憶するコンテンツ記憶手段と、  前記複数の印刷装置のうち、前記閲覧端末との距離が、前記コンテンツの印刷指示の送受信を開始する距離として予め設定された第１距離以下になった印刷装置に対して、前記コンテンツ記憶手段に記憶された前記コンテンツの印刷指示を、無線通信を介して送信する印刷指示送信手段とを備えたことを特徴とする閲覧端末。
【請求項１３】
前記距離が第１距離以下になった場合に前記印刷装置から送信される前記印刷指示の送信要求を無線通信を介して受信する要求受信手段をさらに備え、  前記印刷指示送信手段は、前記要求受信手段によって受信された前記送信要求に応じて、前記印刷装置に対して、前記印刷指示を送信することを特徴とする請求項１２に記載の閲覧端末。
【請求項１４】
無線通信が可能な無線タグをさらに備え、  前記印刷指示送信手段は、前記印刷装置による前記無線タグとの無線通信を用いた距離算出の結果、前記距離が第１距離以下になったと判断された場合に前記印刷装置から送信され、前記要求受信手段によって受信された前記送信要求に応じて、前記印刷装置に対して、前記印刷指示を送信することを特徴とする請求項１３に記載の閲覧端末。
【請求項１５】
前記印刷装置に対して前記印刷指示を送信する前記コンテンツを特定する指示送信コンテンツ特定手段をさらに備え、  前記印刷指示送信手段は、前記指示送信コンテンツ特定手段によって特定された前記コンテンツの印刷指示を前記印刷装置に対して送信することを特徴とする請求項１２〜１４のいずれかに記載の閲覧端末。
【請求項１６】
前記指示送信コンテンツ特定手段は、前記コンテンツ記憶手段に記憶されている前記コンテンツのうち、前記表示画面に現在表示されている前記コンテンツを特定することを特徴とする請求項１５に記載の閲覧端末。
【請求項１７】
前記コンテンツ記憶手段は、前記コンテンツに対する評価に関する情報を前記コンテンツに対応づけて記憶しており、  前記指示送信コンテンツ特定手段は、前記コンテンツ記憶手段に記憶されている前記コンテンツのうち、前記評価が高い前記コンテンツを、前記印刷装置に対して前記印刷指示を送信する前記コンテンツとして特定することを特徴とする請求項１５に記載の閲覧端末。
【請求項１８】
請求項１２〜１７のいずれかに記載の閲覧端末の各種処理手段としてコンピュータを機能させるための閲覧プログラムを記憶した、コンピュータで読取り可能な記録媒体。
【発明の詳細な説明】
【技術分野】
【０００１】  本開示は、印刷制御システム、印刷装置、印刷プログラム、閲覧端末、および閲覧プログラムに関する。より詳細には、本発明は、印刷装置と閲覧装置の距離に応じて印刷動作を制御する印刷制御システム、印刷制御システムを構成する印刷装置および閲覧端末、ならびに各装置で動作する印刷プログラムおよび閲覧プログラムに関する。
【背景技術】
【０００２】  近年、インターネット上に提供されている文書データや画像データ等のコンテンツを、例えば、携帯端末にダウンロードして閲覧することが可能なシステムが提供されている。携帯端末のユーザが、ダウンロードされたコンテンツを印刷したい場合には、携帯端末をＵＳＢ等のインターフェースを介して印刷装置に接続し、印刷するコンテンツを印刷装置に送信して印刷することができる。このような場合、ユーザは、携帯端末を印刷装置近くまで持っていき、携帯端末を印刷装置に接続し、各種印刷設定を行った後に初めて印刷実行を指示することができる。すなわち、ユーザが印刷装置の近くまで行って携帯端末を印刷装置と接続する時間、および、印刷装置設定処理等を行っている時間は、印刷装置は遊んでいる状態にある。【０００３】  また、ユーザの認証を行ってから印刷を行う印刷装置がある。まず、パーソナルコンピュータ（以下、ＰＣという）等の端末から、ネットワークを介して接続された印刷装置に、印刷する文書等の印刷指示もしくは印刷データが送信される。その後、印刷装置においてユーザの識別情報が認証された場合に、印刷装置では、認証されたユーザが送信した印刷指示もしくは印刷データに基づいて、印刷が行われる。例えば、特許文献１に記載の複合機では、予めユーザがＰＣから送信した印刷データが、ユーザ毎に設けられた記憶領域に記憶される。そして、ユーザが自己の識別情報が記憶されたメモリカード（無線タグ）を携帯して複合機から所定距離以内に近づくと、複合機のＲＦＩＤ制御部によって、メモリカードからユーザの識別情報が読み出される。識別情報によるユーザ認証が成功すると、自動的に印刷出力が行われる。このようにして、ユーザが複合機の前で待たされる時間は短縮される。【特許文献１】特開２００５−２４４６５６号公報
【０００４】  しかしながら、特許文献１に記載の複合機では、ある場所に固定された複合機に、予め、ネットワークを介して接続されているＰＣからデータを送信しておかなければ、ユーザが複合機に近づいたとしても、印刷は実行されない。これでは、ユーザは複合機が現在自分の近くにある場合でも、その複合機をわざわざ指定して、印刷指示や印刷データを予め送っておかなければならず、ユーザの操作に煩わしさが生じる。特に、ユーザが、前述した携帯端末でコンテンツを閲覧している場合、ユーザは携帯端末を携帯して移動する。この場合、ユーザの近くにある複合機が、いつも同じ複合機であるとは限らない。
【発明の開示】
【０００５】  本開示は、ユーザが、印刷を行う印刷装置を予め指定して印刷指示を送信する必要のない印刷制御システム、印刷装置、印刷プログラム、閲覧端末、および閲覧プログラムを提供することを目的とする。
【０００６】  本開示の第１の態様によれば、コンテンツを表示する表示画面を有する閲覧端末と、前記コンテンツを印刷する印刷手段を有する複数の印刷装置とを備えた印刷制御システムであって、前記閲覧端末および前記印刷装置の少なくともいずれかは、前記閲覧端末と前記印刷装置との距離を算出する距離算出手段を備え、前記閲覧端末は、前記表示画面に表示させる前記コンテンツを記憶するコンテンツ記憶手段と、前記複数の印刷装置のうち、前記距離算出手段により算出された前記距離が、前記コンテンツの印刷指示の送受信を開始する距離として予め設定された第１距離以下になった印刷装置に対して、前記コンテンツ記憶手段に記憶された前記コンテンツの印刷指示を、無線通信を介して送信する印刷指示送信手段とを備え、前記印刷装置は、前記閲覧端末の前記印刷指示送信手段から送信された前記印刷指示を受信する印刷指示受信手段と、前記印刷指示受信手段によって受信された前記印刷指示を記憶する受信指示記憶手段と、前記距離算出手段により算出された前記距離が、前記第１距離よりも短く、前記コンテンツの印刷を開始する距離として予め設定された第２距離以下になった場合に、前記受信指示記憶手段に記憶された前記印刷指示に基づいて前記コンテンツを印刷するように前記印刷手段を制御する印刷制御手段とを備えたことを特徴とする印刷制御システムが提供される。
【０００７】  本開示の第２の態様によれば、コンテンツを表示する表示画面を有する閲覧端末から送信された前記コンテンツの印刷指示に基づいて前記コンテンツを印刷する印刷手段を備えた印刷装置であって、前記閲覧端末との距離が、前記コンテンツの印刷指示の送受信を開始する距離として予め設定された第１距離以下になった場合に、無線通信を介して前記閲覧端末から送信された前記コンテンツの印刷指示を受信する印刷指示受信手段と、前記印刷指示受信手段によって受信された前記印刷指示を記憶する受信指示記憶手段と、前記距離が、前記第１距離よりも短く、前記コンテンツの印刷を開始する距離として予め設定された第２距離以下になった場合に、前記受信指示記憶手段に記憶された前記印刷指示に基づいて前記コンテンツを印刷するように前記印刷手段を制御する印刷制御手段とを備えたことを特徴とする印刷装置が提供される。
【０００８】  本開示の第３の態様によれば、本開示の第２の態様に係る印刷装置の各種処理手段としてコンピュータを機能させるための印刷プログラムを記憶した、コンピュータで読取り可能な記録媒体が提供される。
【０００９】  本開示の第４の態様によれば、コンテンツを表示する表示画面を備え、前記コンテンツを印刷する印刷手段を有する複数の印刷装置に対して前記コンテンツの印刷指示を送信可能な閲覧端末であって、前記表示画面に表示させる前記コンテンツを記憶するコンテンツ記憶手段と、前記複数の印刷装置のうち、前記閲覧端末との距離が、前記コンテンツの印刷指示の送受信を開始する距離として予め設定された第１距離以下になった印刷装置に対して、前記コンテンツ記憶手段に記憶された前記コンテンツの印刷指示を、無線通信を介して送信する印刷指示送信手段とを備えたことを特徴とする閲覧端末が提供される。
【００１０】  本開示の第５の態様によれば、本開示の第４の態様に係る閲覧端末の各種処理手段としてコンピュータを機能させるための閲覧プログラムを記憶した、コンピュータで読取り可能な記録媒体が提供される。
【図面の簡単な説明】
【００１１】
【図１】印刷制御システム１の構成図である。
【図２】閲覧端末１００の電気的構成を示すブロック図である。
【図３】閲覧端末１００のＲＡＭ１０３の構成を示す説明図である。
【図４】コンテンツ一覧画面５０の模式図である。
【図５】閲覧画面６０の模式図である。
【図６】印刷モード選択画面８０の模式図である。
【図７】印刷待ちリスト３００の説明図である。
【図８】複合機２００の電気的構成を示すブロック図である。
【図９】複合機２００のＥＥＰＲＯＭ２０４の構成を示す説明図である。
【図１０】複合機２００のＲＡＭ２０３の構成を示す説明図である。
【図１１】受信コンテンツリスト４００の説明図である。
【図１２】印刷対象特定処理のフローチャートである。
【図１３】印刷対象特定処理の中で行われる印刷フラグ付与処理のフローチャートである。
【図１４】コンテンツ送信処理のフローチャートである。
【図１５】コンテンツ送信処理の中で行われる表示コンテンツ送信処理のフローチャートである。
【図１６】コンテンツ送信処理の中で行われる予約コンテンツ送信処理のフローチャートである。
【図１７】印刷可否確認処理のフローチャートである。
【図１８】印刷確認画面７０の模式図である。
【図１９】端末距離測定処理のフローチャートである。
【図２０】コンテンツ送信要求処理のフローチャートである。
【図２１】印刷確認要求処理のフローチャートである。
【図２２】印刷処理のフローチャートである。
【図２３】消去処理のフローチャートである。
【図２４】変形例に係る高評価コンテンツ送信処理のフローチャートである。
【図２５】変形例に係る印刷待ちリスト３１０の説明図である。
【発明を実施するための最良の形態】
【００１２】  以下、本開示の一実施の形態である印刷制御システム１について、図面を参照して説明する。なお、参照する図面は、本開示において採用されうる技術的特徴を説明するために用いられるものである。よって、記載されている装置の構成、各種処理のフローチャートなどは、特に特定的な記載がない限り、それのみに限定する趣旨ではなく、単なる説明例である。【００１３】  まず、図１を参照して、印刷制御システム１の構成について説明する。図１に示すように、印刷制御システム１は、複合機２００と、携帯型の小型端末である閲覧端末１００とが無線通信ネットワーク５００を介して接続可能なシステムである。複合機２００は、印刷装置、通信装置、電話機、ファクシミリ、スキャナおよびコピー機としての機能を有する装置である。本実施形態では、複合機２００は、閲覧端末１００から無線通信ネットワーク５００を介して送信されたコンテンツの印刷データに基づいてコンテンツを印刷する印刷装置として機能する。閲覧端末１００は、表示部１５を備えた携帯型の小型端末である。閲覧端末１００はさらに、決定キー１２と、選択キー１３とを備えている。閲覧端末１００のユーザは、各キー１２、１３を操作することにより、コンテンツを表示部１５に表示させたり、コンテンツの印刷予約を指示したりすることができる。なお、コンテンツとは、テキストデータ、静止画データ、動画データ、音声データを含む各種の情報をいう。印刷予約が指示されたコンテンツの印刷データは、閲覧端末１００から無線通信ネットワーク５００を介して複合機２００に送信される。以後、説明の簡略のために、「コンテンツの印刷データを送信（受信）する」ことを単純に「コンテンツを送信（受信）する」として説明する。図１では、閲覧端末１００および複合機２００は、それぞれ１つしか図示されていないが、複合機２００は、複数の閲覧端末１００との間でコンテンツの送受信を行うことができる。また、閲覧端末１００は、複合機２００を含む、印刷装置としての機能を有する複数の装置との間で、コンテンツの送受信が可能である。また、無線通信ネットワーク５００には、例えば、無線ＬＡＮの標準規格であるＩＥＥＥ８０２．１１ｘを採用することができる。【００１４】  次に、図２〜図７を参照して、閲覧端末１００について説明する。図２に示すように、閲覧端末１００は、ＣＰＵ１０１、ＲＯＭ１０２、ＲＡＭ１０３、ＥＥＰＲＯＭ１０４、表示コントローラ１０５、決定キー１２、選択キー１３、ＵＳＢコントローラ１０７、メモリカードコントローラ１０８、無線通信部１０９を備えている。これらはすべて、バスによって相互に接続されている。【００１５】  ＲＯＭ１０２は、閲覧端末１００を動作させるための各種のプログラムを記憶している。ＣＰＵ１０１は、ＲＯＭ１０２に記憶されたプログラムに従って、閲覧端末１００の動作を制御する。ＲＡＭ１０３の詳細については後述する。ＥＥＰＲＯＭ１０４は、閲覧端末１００のユーザの識別情報であるユーザＩＤ等を記憶する記憶装置である。表示コントローラ１０５は、表示コントローラ１０５に接続された表示部１５の制御を行う。決定キー１２および選択キー１３は、前述したように、ユーザの入力を受け付���るための入力手段である。ＵＳＢコントローラ１０７は、ＵＳＢ通信により他の機器との間でデータの送受信を行うためのコントローラである。メモリカードコントローラ１０８は、メモリカード１８０を接続するためのコントローラである。メモリカード１８０は、コンテンツ記憶領域１８１を備えている。コンテンツ記憶領域１８１には、表示部１５に表示されたり、複合機２００に印刷データが送信され、印刷されたりするコンテンツのコンテンツ情報が記憶されている。本実施形態では、具体的には、コンテンツ情報として、コンテンツの識別コードであるコンテンツＩＤ、コンテンツのタイトル、およびコンテンツの本文のデータが記憶されている。無線通信部１０９は、無線通信用の通信装置であり、無線通信ネットワーク５００を介して複合機２００と接続することができる。【００１６】  さらに、閲覧端末１００には、周知の無線タグ１１０が装着されている。無線タグ１１０は、コイル状のアンテナと、アンテナの一端に接続されたＩＣ回路部とを備えている。なお、無線タグ１１０が装着される部位には特に限定はない。よって、無線タグ１１０は、閲覧端末１００を構成する筐体の外部に装着されていてもよいし、内部に設けられていてもよい。図示はされていないが、本実施形態の無線タグ１１０は、ラベル状に形成されており、閲覧端末１００の筐体の背面（図１における紙面裏側）に貼着されている。無線タグ１１０のアンテナは、後述する複合機２００のタグリーダ２０９が有するアンテナとの間で、無線通信により、非接触で信号の送受信を行うことができる。ＩＣ回路部は、無線タグ１１０の基本的な作動を制御する制御部や、閲覧端末１００の識別コードである端末ＩＤを記憶するメモリ部等を備えている。無線タグ１１０が、タグリーダ２０９からの問い合わせ信号に応じて、メモリ部に記憶された端末ＩＤを返信することにより、すなわち、タグリーダ２０９がメモリ部の端末ＩＤを読み取ることにより、個々の閲覧端末１００を識別することができる。【００１７】  ここで、図３を参照して、閲覧端末１００のＲＡＭ１０３の詳細について説明する。図３に示すように、ＲＡＭ１０３は、コンテンツ記憶領域１０３１、表示コンテンツ記憶領域１０３２、印刷待ちコンテンツ記憶領域１０３３、送信コンテンツ記憶領域１０３４、および印刷モード記憶領域１０３５を含む、複数の記憶領域を備えている。コンテンツ記憶領域１０３１には、メモリカード１８０がメモリカードコントローラ１０８に接続されたときに、ＣＰＵ１０１によってメモリカード１８０のコンテンツ記憶領域１８１から取得される複数のコンテンツ情報が記憶される。具体的には、コンテンツの識別コードであるコンテンツＩＤ、コンテンツのタイトルおよび本文のデータが記憶される。表示コンテンツ記憶領域１０３２には、現在表示部１５に詳細が表示されているコンテンツ（以下、表示コンテンツという）のコンテンツ情報が記憶される。印刷待ちコンテンツ記憶領域１０３３については後述する。送信コンテンツ記憶領域１０３４には、印刷待ちコンテンツ記憶領域１０３３に記憶されたコンテンツのうち、複合機２００に送信される１つのコンテンツのコンテンツ情報が記憶される。印刷モード記憶領域１０３５には、ユーザにより選択される「マニュアル設定印刷モード（以下、「マニュアル印刷モード」という）」、「表示コンテンツ自動印刷モード（以下、「表示印刷モード」という）」、「印刷予約コンテンツ自動印刷モード（以下、「予約印刷モード」という）」のいずれかの印刷モードが記憶される。【００１８】  印刷待ちコンテンツ記憶領域１０３３には、コンテンツ記憶領域１０３１に記憶されたコンテンツのうち、表示部１５のコンテンツ一覧画面５０（図４参照）において、選択キー１３および決定キー１２により「印刷」が選択されたコンテンツのコンテンツ情報と印刷フラグとが記憶される。具体的には、図７に示すように、コンテンツＩＤ、コンテンツのタイトルおよび本文のデータ、および印刷フラグを１組とする情報が、「印刷」が選択された順に、印刷待ちリスト３００に追加され、印刷待ちコンテンツ記憶領域１０３３に記憶される。なお、印刷リスト３００のコンテンツ欄に、コンテンツのタイトルおよび本文のデータが記憶されるが、図７では、コンテンツ欄には、コンテンツのタイトルのみが表示されている。以下の説明で用いられる図にコンテンツ欄が設けられている場合も同様である。また、印刷フラグとは、表示コンテンツを自動的に印刷する「表示印刷モード」が選択された場合に、表示コンテンツを特定するために使用されるフラグである。図７の印刷待ちリスト３００の例では、最初に記憶されているコンテンツは、コンテンツＩＤ「ｄｏｃｕｍｅｎｔ１．ｄｏｃ」の「ドキュメント１」のデータであり、このコンテンツの印刷フラグは「ＯＦＦ」である。すなわち、「ドキュメント１」は、印刷待ち状態にあるが、表示中ではない。次に記憶されているのは、コンテンツＩＤ「２００７０３１５０３７２．ｓｒｃ」の「サイトＡ」のデータであり、印刷フラグは「ＯＮ」である。すなわち、「サイトＡ」は、印刷待ち状態であり、且つ、現在表示中のコンテンツである。同様に、図７の印刷待ちリスト３００は、これら２件の他に４件の印刷待ちのコンテンツがあることを示している。なお、印刷フラグを「ＯＮ」にする処理については後述する。【００１９】  次に、図４〜図６を参照して、閲覧端末１００の表示部１５に表示される各種の表示画面について説明する。閲覧端末１００の電源スイッチがＯＮにされると、表示部１５にはまずメニュー画面（図示外）が表示される。ユーザは、選択キー１３および決定キー１２を操作して、メニュー画面に表示された各種項目のうちいずれかを選択することにより、所望の表示画面に移行することができる。図４のコンテンツ一覧画面５０は、メニューから「コンテンツ一覧」が選択されると表示される。コンテンツ一覧画面５０には、前述したようにメモリカード１８０からＲＡＭ１０３のコンテンツ記憶領域１０３１に取得されたコンテンツのタイトルが、一覧として表示される。図４の例では、「復党問題で首相談話」、「円高ひと区切り」、および「中部国際空港混雑予想を発表」の３つのコンテンツのタイトルが表示されている。また、各タイトルに対応して、「詳細」および「印刷」ボタンが表示されている。【００２０】  選択キー１３および決定キー１２の操作により、コンテンツ一覧画面５０の「詳細」ボタンが選択されると、図５に示す閲覧画面６０が表示される。例えば、図５の閲覧画面６０は、図４のコンテンツ一覧画面５０において、一番上に表示されているタイトル「復党問題で首相談話」に対応する「詳細」ボタンが選択された場合に表示される。閲覧画面６０には、コンテンツのタイトルである「復党問題で首相談話」と、コンテンツの本文である「与党内からも・・・（中略）・・・発表した。」が表示されている。一方、選択キー１３および決定キー１２の操作により、コンテンツ一覧画面５０の「印刷」ボタンが選択されると、選択されたコンテンツが、印刷予約されたコンテンツとして特定される。そして、前述したように、選択されたコンテンツのコンテンツ情報が、印刷待ちコンテンツ記憶領域１０３３の印刷待ちリスト３００に追加される。なお、印刷待ちリストを作成する処理については後述する。【００２１】  図６の印刷モード選択画面８０は、メニューから「印刷モード選択」が選択されると表示される。印刷モード選択画面８０には、「印刷モードを選択してください。」というメッセージと、「マニュアル設定印刷」、「表示コンテンツ自動印刷」、および「予約コンテンツ自動印刷」の３つのボタンが表示される。これらのボタンは、それぞれ、前述した「マニュアル印刷モード」、「表示印刷モード」、および「予約印刷モード」に対応している。「マニュアル設定印刷」ボタンが選択された場合、マニュアル設定を行うための画面（図示外）が表示される。この画面では、例えば、出力先のプリンタを指定して、印刷待ちコンテンツ記憶領域１０３３に記憶されたコンテンツの印刷実行を指示することができる。「表示コンテンツ自動印刷」ボタンが選択された場合、複合機２００との距離に応じて、表示部１５に詳細が表示されているコンテンツが、自動的に複合機２００へ送信されたり、印刷されたりする。「予約コンテンツ自動印刷」ボタンが選択された場合、複合機２００との距離に応じて、印刷待ちコンテンツ記憶領域１０３３に記憶されたコンテンツが、自動的に複合機２００へ送信されたり、印刷されたりする。これらの処理の詳細については、後述する。また、印刷モード選択画面８０で選択された印刷モードは、前述のＲＡＭ１０３の印刷モード記憶領域１０３５に記憶される。【００２２】  次に、図８〜図１１を参照して、複合機２００の構成について説明する。図８に示すように、複合機２００は、ＣＰＵ２０１、ＲＯＭ２０２、ＲＡＭ２０３、ＥＥＰＲＯＭ２０４、スキャナ部２０５、記録部２０６、操作キー２０７、液晶ディスプレイ（ＬＣＤ）２０８、タグリーダ２０９、ＵＳＢコントローラ２１０、無線通信部２１１、およびＬＡＮコントローラ２１２を備えている。これらはすべて、バスによって相互に接続されている。【００２３】  ＲＯＭ２０１は、複合機２００を動作させるための各種のプログラムを記憶している。ＣＰＵ２０１は、ＲＯＭ２０１に記憶されたプログラムに従って、複合機２００の動作を制御する。ＲＡＭ２０３およびＥＥＰＲＯＭ２０４の詳細については後述する。スキャナ部２０５は、画像データの読取りを行うスキャナとして機能する。記録部２０６は、閲覧端末１００から送信されたコンテンツ等を印刷する印刷装置として機能する。操作キー２０７は、ユーザの入力を受け付けるための入力手段である。ＬＣＤ２０８は、操作キー２０７を介して入力された入力情報等を表示する表示画面である。ＵＳＢコントローラ２１０は、ＵＳＢ通信により他の機器との間でデータの送受信を行うためのコントローラである。無線通信部２１１は、無線通信用の通信装置であり、無線通信ネットワーク５００を介して複数の閲覧端末１００と接続することができる。ＬＡＮコントローラ２１２は、ネットワークを介して他の機器やインターネットに接続するためのコントローラである。【００２４】  タグリーダ２０９は、周知のタグリーダであって、交信範囲内に存在する閲覧端末１００の無線タグ１１０（図２参照）との間で無線通信を行い、非接触で無線タグ１１０のメモリ部から情報の読み取りを行うことができる。詳細は図示しないが、タグリーダ２０９の構成について、簡単に説明する。タグリーダ２０９は、アンテナと、送受信回路と、信号処理回路と、制御回路とを備えている。アンテナは、閲覧端末１００の無線タグ１１０が有するアンテナとの間で無線通信により信号の授受を行うことができる。送受信回路は、アンテナを介して無線タグ１１０のＩＣ回路部へアクセスし、情報の読み取りを行うための回路である。信号処理回路は、無線タグ１１０から読み出された信号を処理する。制御回路としては、ＣＰＵ、ＲＯＭ、およびＲＡＭ等を備えたいわゆるマイクロコンピュータを採用することができる。この場合、制御回路は、ＲＡＭの一時的な記憶領域を利用しつつ、ＲＯＭに予め記憶されたプログラムに従って信号処理を行うように構成されている。本実施形態では、タグリーダ２０９は、後で詳述するように、無線タグ１１０に記憶された閲覧端末１００の識別コードを読み取るため、また、複合機２００と閲覧端末１００との距離を測定するために使用される。なお、タグリーダ２０９の交信範囲は、後述する「第４の距離」よりも長い距離（例えば１５ｍ）が設定されている。【００２５】  ここで、図９を参照して、ＥＥＰＲＯＭ２０４の詳細について説明する。図９に示すように、ＥＥＰＲＯＭ２０４は、端末ＩＤ記憶領域２０４１と距離記憶領域２０４２を含む、複数の記憶領域を備えている。端末ＩＤ記憶領域２０４１には、複合機２００に無線通信ネットワーク５００を介して接続可能なすべての閲覧端末１００の端末ＩＤが記憶されている。距離記憶領域２０４２には、予め設定された、第１の距離、第２の距離、第３の距離、および第４の距離がそれぞれ記憶されている。ここでいう「距離」は、すべて複合機２００と閲覧端末１００との間の距離である。第１の距離とは、閲覧端末１００が複合機２００にこの距離以内に近づいたときに、複合機２００が閲覧端末１００に対して、印刷するコンテンツを送信するよう要求する距離として設定された距離である。本実施形態では、第１の距離は、１０ｍに設定されている。第２の距離とは、閲覧端末１００から送信され、ＲＡＭ２０３の受信コンテンツ記憶領域２０３７（図１０参照）に記憶されたコンテンツの印刷が開始される距離として設定された距離である。本実施形態では、第２の距離は、１ｍに設定されている。第３の距離とは、受信コンテ��ツ記憶領域２０３７に記憶されたコンテンツの印刷を開始してよいか否かを、複合機２００が閲覧端末１００に確認要求する距離として設定された距離である。本実施形態では、第３の距離は、５ｍに設定されている。第４の距離とは、閲覧端末１００が複合機２００からこの距離以上離れたときに、受信コンテンツ記憶領域２０３７に記憶されたコンテンツが消去される距離として設定された距離である。本実施形態では、第４の距離は、第１の距離と同じ１０ｍに設定されている。【００２６】  次に、図１０を参照して、ＲＡＭ２０３の詳細について説明する。図１０に示すように、ＲＡＭ２０３は、印刷拒否フラグ記憶領域２０３１、第１の端末ＩＤ記憶領域２０３２、第２の端末ＩＤ記憶領域２０３３、第３の端末ＩＤ記憶領域２０３４、第４の端末ＩＤ記憶領域２０３５、第５の端末ＩＤ記憶領域２０３６、受信コンテンツ記憶領域２０３７、時間カウンタ記憶領域２０３８等を備えている。印刷拒否フラグ記憶領域２０３１には、複合機２００に無線通信ネットワーク５００を介して接続可能な閲覧端末１００の端末ＩＤと、印刷拒否フラグとが対応づけられて記憶される。印刷拒否フラグは、閲覧端末１００から送信されたコンテンツを印刷するか否かを特定するためのフラグである。第１の端末ＩＤ記憶領域２０３２には、後述するようにタグリーダ２０９を介して測定された距離が第１の距離内にある閲覧端末１００の端末ＩＤが記憶される。第２の端末ＩＤ記憶領域２０３３には、タグリーダ２０９を介して測定された距離が第２の距離内にある閲覧端末１００の端末ＩＤが記憶される。第３の端末ＩＤ記憶領域２０３４には、タグリーダ２０９を介して測定された距離が第３の距離内にある閲覧端末１００の端末ＩＤが記憶される。第４の端末ＩＤ記憶領域２０３５には、タグリーダ２０９を介して測定された距離が第４の距離内にある閲覧端末１００の端末ＩＤが記憶される。第５の端末ＩＤ記憶領域２０３６には、受信コンテンツ記憶領域２０３７から消去されるコンテンツの送信元の閲覧端末１００の端末ＩＤが記憶される。また、時間カウンタ記憶領域２０３８には、閲覧端末１００が第４の距離以上に離れたときに、コンテンツを消去するまでの所定時間をカウントする経過時間カウンタが記憶される。【００２７】  受信コンテンツ記憶領域２０３７には、受信コンテンツリスト４００が記憶される。受信コンテンツリスト４００には、図１１に示すように、コンテンツ情報の送信元の閲覧端末１００の端末ＩＤと、コンテンツ情報、すなわち、コンテンツＩＤ、コンテンツのタイトルおよび本文のデータとが記憶されている。複合機２００が、いずれかの閲覧端末１００から、その閲覧端末１００の端末ＩＤおよびコンテンツ情報を受信する毎に、受信した端末ＩＤとコンテンツ情報とが受信コンテンツリスト４００に追加され、受信コンテンツ記憶領域２０３７に記憶される。図１１の例は、端末ＩＤが「Ｓ６４３」の閲覧端末１００から最初に受信した、コンテンツＩＤ「ｄｏｃｕｍｅｎｔ１．ｄｏｃ」とコンテンツ「ドキュメント１」のデータが最初に記憶され、次に、端末ＩＤが「Ｓ３１２」の閲覧端末１００から受信した、コンテンツＩＤ「２００７０３１５０３１１．ｓｒｃ」と���ンテンツ「サイトＣ」のデータとが記憶され、３番目には、端末ＩＤが「Ｓ３１２」の閲覧端末１００から受信した、コンテンツＩＤ「ｄｏｃｕｍｅｎｔ５．ｄｏｃ」とコンテンツ「ドキュメント５」のデータが記憶されたことを示している。【００２８】  次に、印刷制御システム１の閲覧端末１００および複合機２００でそれぞれ実行される処理について説明する。まず、図１２〜図１８を参照して、閲覧端末１００における処理について説明する。図１２〜図１７の処理は、ＲＯＭ１０２に記憶された各処理用のプログラムに従って、ＣＰＵ１０１が実行する。これらの処理のうち、図１２の印刷対象特定処理、図１４のコンテンツ送信処理、および図１７の印刷可否確認処理は、閲覧端末１００の電源がＯＮにされると同時に開始され、並行して実行される。【００２９】  まず、図１２〜図１３を参照して、閲覧端末１００において行われる印刷対象特定処理について説明する。この処理では、閲覧端末１００に記憶されたコンテンツのうち、複合機２００へ送信され、印刷されるコンテンツが特定される。【００３０】  図１２の印刷対象特定処理が開始されると、ＣＰＵ１０１はまず、図示外の電源スイッチがＯＦＦにされているか否かを判断する（Ｓ２６１）。電源スイッチがＯＮであれば（Ｓ２６１：ＮＯ）、ＣＰＵ１０１は、コンテンツ一覧画面５０（図４参照）において、いずれかのコンテンツのタイトルに対応する「印刷」ボタンが選択されることにより、印刷予約が指示されたか否かを判断する（Ｓ２６２）。ＣＰＵ１０１は、「印刷」ボタンが選択されたと判断した場合、印刷予約が指示されたと判断する（Ｓ２６２：ＹＥＳ）。この場合、ＣＰＵ１０１は、ＲＡＭ１０３のコンテンツ記憶領域１０３１から、対応するコンテンツのコンテンツ情報（コンテンツＩＤ、コンテンツのタイトルおよび本文のデータ）を取得し、印刷待ちコンテンツ記憶領域１０３３に記憶されている印刷待ちリスト（図７参照）に追加する（Ｓ２６３）。さらに、ＣＰＵ１０１は、このコンテンツの印刷フラグを「ＯＦＦ」として印刷待ちリストに記憶させる（Ｓ２６４）。その後、ＣＰＵ１０１は、電源がＯＦＦにされているか否かの判断に戻る（Ｓ２６１）。一方、コンテンツ一覧画面５０（図４参照）において、「印刷」ボタンが選択されない場合は（Ｓ２６２：ＮＯ）、ＣＰＵ１０１は、いずれかのコンテンツのタイトルに対応する「詳細」ボタンが選択されることにより、コンテンツの詳細表示が指示されたか否かを判断する（Ｓ２６６）。「詳細」ボタンも選択されていなければ（Ｓ２６６：ＮＯ）、処理はＳ２６２に戻り、ＣＰＵ１０１は、印刷予約が指示されるか、コンテンツの詳細表示が指示されるまで、待機する（Ｓ２６２：ＮＯ、Ｓ２６６：ＮＯ、Ｓ２６２）。ＣＰＵ１０１は、「詳細」ボタンが選択され、コンテンツの詳細表示が指示されたと判断した場合（Ｓ２６６：ＹＥＳ）、ＲＡＭ１０３の印刷モード記憶領域１０３５に記憶されている印刷モードが「表示印刷モード」であるか否かを判断する（Ｓ２６７）。ＣＰＵ１０１は、記憶されている印刷モードが「表示印刷モード」であると判断した場合には（Ｓ２６７：ＹＥＳ）、後述する印刷フラグ付与処理（Ｓ２７０、図１３）を行ってか���、電源がＯＦＦにされているか否かの判断に戻る（Ｓ２６１）。記憶されている印刷モードが「表示印刷モード」ではない場合は（Ｓ２６７：ＮＯ）、ＣＰＵ１０１は、そのまま電源がＯＦＦにされているか否かの判断に戻る（Ｓ２６１）。ＣＰＵ１０１は、電源がＯＦＦにされない間は（Ｓ２６１：ＮＯ）、前述の処理（Ｓ２６２〜Ｓ２６４、Ｓ２６６〜Ｓ２６７、Ｓ２７０）を繰り返す。電源がＯＦＦにされると（Ｓ２６１：ＹＥＳ）、図１２の印刷対象特定処理は終了する。【００３１】  図１２の印刷対象特定処理で行われる印刷フラグ付与処理（Ｓ２７０）の詳細について、図１３を参照して説明する。印刷モードが「表示印刷モード」の場合に行われるこの処理は、表示コンテンツの印刷フラグを「ＯＮ」にすることにより、後述するコンテンツ送信処理において、複合機２００に表示コンテンツのみを送信するための前処理である。図１３に示す処理が開始されたときには、すでにいずれかのコンテンツの詳細表示が指示されている（図１２、Ｓ２６６：ＹＥＳ）。そこで、ＣＰＵ１０１は、「詳細」ボタンに対応するコンテンツのコンテンツ情報をＲＡＭ１０３のコンテンツ記憶領域１０３１から表示コンテンツ記憶領域１０３２に取得し、コンテンツのタイトルおよび本文を閲覧画面６０（図５参照）に表示させる（Ｓ２７２）。ＣＰＵ１０１は、表示コンテンツが印刷待ちリスト３００（図７参照）にあるか否か、すなわち、表示コンテンツのコンテンツＩＤが、ＲＡＭ１０３の印刷待ちコンテンツ記憶領域１０３３の印刷待ちリスト３００（図７参照）に記憶されているか否かを判断する（Ｓ２７５）。表示コンテンツのコンテンツＩＤが印刷待ちリスト３００に記憶されている場合は（Ｓ２７５：ＹＥＳ）、このとき印刷待ちリスト３００において「ＯＦＦ」にされている表示コンテンツの印刷フラグを「ＯＮ」にする（Ｓ２８１）。例えば、表示コンテンツが「サイトＡ」である場合、図７に示すように、「サイトＡ」の印刷フラグのみが「ＯＮ」にされる。このように、すでに他にも印刷予約がなされたコンテンツが存在する場合であっても、表示コンテンツの印刷フラグのみが「ＯＮ」になるため、表示コンテンツを識別できるようになる。その後、ＣＰＵ１０１は、閲覧画面６０（図５参照）から他の画面へ移行するまでは待機する（Ｓ２８２：ＮＯ、Ｓ２８２）。コンテンツ一覧画面５０（図４参照）等のほかの画面へ移行すると（Ｓ２８２：ＹＥＳ）、Ｓ２７２で表示されたコンテンツの表示が中止される。よって、ＣＰＵ１０１は、Ｓ２８１で「ＯＮ」にされた印刷フラグを再び「ＯＦＦ」に戻し（Ｓ２８３）、図１２の処理の最初（Ｓ２６１）に戻る。【００３２】  一方、Ｓ２７５において、表示コンテンツのコンテンツＩＤが、印刷待ちコンテンツ記憶領域１０３３の印刷待ちリスト３００（図７参照）に記憶されていないと判断された場合は（Ｓ２７５：ＮＯ）、ＣＰＵ１０１は、表示コンテンツを印刷待ちリスト３００に追加する（Ｓ２７６）。さらに、ＣＰＵ１０１は、表示コンテンツの印刷フラグを「ＯＮ」にして、印刷待ちリスト３００に記憶させる（Ｓ２７７）。例えば表示コンテンツが「サイトＡ」であれば、図７の印刷待ちリスト３００には、２行目のコンテンツＩＤ「２００７０３１５０３７２」、「サイトＡ」のタイトルおよび本文のデータ、および印刷フラグ「ＯＮ」のみが記憶された状態となる。その後、ＣＰＵ１０１は、閲覧画面６０（図５参照）から他の画面へ移行するまでは待機する（Ｓ２７８：ＮＯ、Ｓ２７８）。コンテンツ一覧画面５０（図４参照）等のほかの画面へ移行すると（Ｓ２７８：ＹＥＳ）、Ｓ２７２で表示されたコンテンツの表示が中止される。よって、ＣＰＵ１０１は、もともと印刷予約がされていなかったこのコンテンツを印刷待ちリスト３００から消去して（Ｓ２７９）、図１２の処理の最初（Ｓ２６１）に戻る。【００３３】  次に、図１４〜図１６を参照して、閲覧端末１００で行われるコンテンツ送信処理について説明する。この処理では、閲覧端末１００と複合機２００が所定の距離内に近づいたときに複合機２００から送信される送信要求に応じて、前述の印刷対象特定処理（図１２）で特定されたコンテンツが、複合機２００に送信される。【００３４】  図１４に示すコンテンツ送信処理が開始されると、ＣＰＵ１０１はまず、図示外の電源スイッチがＯＦＦにされているか否かを判断する（Ｓ２００）。電源スイッチがＯＮであれば（Ｓ２００：ＮＯ）、ＣＰＵ１０１は、続いてＲＡＭ１０３の印刷モード記憶領域１０３５に記憶された印刷モードが、「マニュアル印刷モード」であるか否かを判断する（Ｓ２０１）。「マニュアル印刷モード」が記憶されている場合は（Ｓ２０１：ＹＥＳ）、後述する送信処理は行われずに、別途、マニュアル設定に従った処理が行われる。したがって、図１４の処理は終了する。一方、記憶されている印刷モードが「マニュアル印刷モード」以外であれば（Ｓ２０１：ＮＯ）、ＣＰＵ１０１は、複合機２００から、コンテンツ送信要求を受信したか否かを判断する（Ｓ２０２）。コンテンツ送信要求とは、複合機２００において、タグリーダ２０９と閲覧端末１００の無線タグ１１０との無線通信に基づき、複合機２００と閲覧端末１００との距離が第１の距離（本実施形態では１０ｍ）以内であると判断されたときに、複合機２００から送信される信号である。複合機２００におけるこのときの処理については、後で詳述する。ＣＰＵ１０１は、コンテンツ送信要求を受信したと判断するまで待機する（Ｓ２０２：ＮＯ、Ｓ２０２）。ＣＰＵ１０１は、送信要求を受信すると（Ｓ２０２：ＹＥＳ）、ＲＡＭ１０３の印刷モード記憶領域１０３５に記憶された印刷モードが「表示印刷モード」であるか否かを判断する（Ｓ２０３）。「表示印刷モード」が記憶されている場合は（Ｓ２０３：ＹＥＳ）、ＣＰＵ１０１は、表示コンテンツ送信処理（Ｓ２１０、図１５）を行う。一方、記憶されていたのが「表示印刷モード」ではない場合は（Ｓ２０３：ＮＯ）、記憶されている印刷モードは「予約印刷モード」である。よって、ＣＰＵ１０１は、予約コンテンツ送信処理（Ｓ２２０、図１６）を行う。いずれの送信処理の場合も、処理が終了したら、ＣＰＵ１０１は、再び電源がＯＦＦにされているか否かの判断に戻る（Ｓ２００）。ＣＰＵ１０１は、電源がＯＦＦにされない間は（Ｓ２００：ＮＯ）、前述の処理（Ｓ２０１〜Ｓ２０３、Ｓ２１０、Ｓ２２０）を繰り返し、電源がＯＦＦにされると（Ｓ２０��：ＹＥＳ）、図１４のコンテンツ送信処理を終了する。【００３５】  図１４のコンテンツ送信処理で行われる表示コンテンツ送信処理（Ｓ２１０）の詳細について、図１５を参照して説明する。「表示印刷モード」が選択されている場合に行われるこの処理では、表示コンテンツのコンテンツ情報のみが複合機２００に送信される。【００３６】  図１５に示すように、表示コンテンツ送信処理が開始されると、ＣＰＵ１０１はまず、ＲＡＭ１０３の印刷待ちコンテンツ記憶領域１０３３に記憶されている印刷待ちリスト３００（図７参照）に、印刷フラグが「ＯＮ」にされているコンテンツがあるか否かを判断する（Ｓ２１１）。印刷待ちリスト３００に、印刷フラグが「ＯＮ」のコンテンツが記憶されていなければ（Ｓ２１１：ＮＯ）、「表示印刷モード」であるにもかかわらず、このとき表示部１５に詳細が表示されている表示コンテンツがないことを意味する。よって、ＣＰＵ１０１は、複合機２００に対して、印刷待ちコンテンツがない旨の通知を送信してから（Ｓ２１５）、図１４の処理の最初（Ｓ２００）に戻る。【００３７】  一方、印刷待ちリスト３００中に印刷フラグが「ＯＮ」にされているコンテンツがある場合には（Ｓ２１１：ＹＥＳ）、印刷フラグが「ＯＮ」にされているコンテンツ、すなわち、表示コンテンツのコンテンツ情報が、ＲＡＭ１０３の送信コンテンツ記憶領域１０３４に上書きされる。ＣＰＵ１０１は、この表示コンテンツのコンテンツ情報を自己の識別コードである端末ＩＤに付加して複合機２００に送信する（Ｓ２１２）。図７の例では、印刷フラグが「ＯＮ」のコンテンツ情報であるコンテンツＩＤ「２００７０３１５０３７２」と、「サイトＡ」のタイトルおよび本文のデータとが、この閲覧端末１００の端末ＩＤとともに送信される。その後、ＣＰＵ１０１は、送信された表示コンテンツに対する受信完了通知を複合機２００から受信したか否かを確認する（Ｓ２１３）。ＣＰＵ１０１は、受信完了通知を受信した場合には（Ｓ２１３：ＹＥＳ）、印刷待ちコンテンツ記憶領域１０３３に記憶されている印刷待ちリスト３００から、送信済みのコンテンツを消去して（Ｓ２１４）、図１４の処理の最初（Ｓ２００）に戻る。ＣＰＵ１０１は、受信完了通知を受信していない場合には（Ｓ２１３：ＮＯ）、複合機２００から、送信中断要求を受信したか否かを判断する（Ｓ２１７）。詳細については後述するが、送信中断要求とは、閲覧端末１００が複合機から第４の距離（本実施形態では１０ｍ）以上離れたと判断されたときに、複合機２００から送信される信号である。ＣＰＵ１０１は、送信中断要求を受信したと判断した場合には（Ｓ２１７：ＹＥＳ）、コンテンツの送信を中断し（Ｓ２１８）、図１４の処理の最初（Ｓ２００）に戻る。一方、受信完了通知も、送信中断要求も受信しない場合は（Ｓ２１３：ＮＯ、Ｓ２１７：ＮＯ）、受信完了通知を受信したか否かの判断に戻る（Ｓ２１３）。受信完了通知および送信中断要求のいずれかが受信され、図１４の処理に戻るまで、前述の処理が繰り返される。【００３８】  次に、図１４のコンテンツ送信処理で行われる予約コンテンツ送信処理（Ｓ２２０）の詳細について、図１６を参照して説明する。「予約印刷モード」が選択されている場合に行われるこの処理では、印刷予約がされているコンテンツが複合機２００に送信される。【００３９】  図１６に示すように、予約コンテンツ送信処理が開始されると、ＣＰＵ１０１はまず、ＲＡＭ１０３の印刷待ちコンテンツ記憶領域１０３３に印刷待ちリスト３００（図７参照）が記憶されているか否かを判断する（Ｓ２２１）。印刷待ちリスト３００が記憶されていない場合には（Ｓ２２１：ＮＯ）、ＣＰＵ１０１は、複合機２００に対して、印刷待ちコンテンツがない旨の通知を送信してから（Ｓ２３１）、図１４の処理の最初（Ｓ２００）に戻る。【００４０】  一方、印刷待ちコンテンツ記憶領域１０３３に印刷待ちリスト３００が記憶されていれば（Ｓ２２１：ＹＥＳ）、印刷待ちリスト３００の中で最初に記憶されているコンテンツのコンテンツ情報が、ＲＡＭ１０３の送信コンテンツ記憶領域１０３４に上書きされる。このコンテンツ情報は、複合機２００に送信される（Ｓ２２２）。例えば、図７の印刷待ちリスト３００のコンテンツの印刷フラグがすべて「ＯＦＦ」であると仮定する。この場合、閲覧端末１００の端末ＩＤ（例えば、Ｓ３１２）と、１行目に記憶されているコンテンツＩＤ「ｄｏｃｕｍｅｎｔ１．ｄｏｃ」と、「ドキュメント１」のタイトルおよび本文のデータとが複合機２００に送信される。その後、ＣＰＵ１０１は、送信した表示コンテンツに対する受信完了通知を複合機２００から受信したか否かを確認する（Ｓ２２５）。ＣＰＵ１０１は、受信完了通知を受信した場合には（Ｓ２２５：ＹＥＳ）、印刷待ちコンテンツ記憶領域１０３３に記憶されている印刷待ちリスト３００から、送信済みのコンテンツを消去して（Ｓ２２６）、Ｓ２２１に戻る。まだ印刷待ちリスト３００に記憶されているコンテンツがあれば（Ｓ２２１：ＹＥＳ）、同様にして、Ｓ２２２以降の処理を繰り返す。ＣＰＵ１０１は、受信完了通知を受信していない場合には（Ｓ２２５：ＮＯ）、複合機２００から送信中断要求を受信したか否かを判断する（Ｓ２２７）。ＣＰＵ１０１は、送信中断要求を受信したと判断した場合には（Ｓ２２７：ＹＥＳ）、コンテンツの送信を中断し（Ｓ２２８）、図１４の処理の最初（Ｓ２００）に戻る。一方、ＣＰＵ１０１は、受信完了通知も、送信中断要求も受信しない場合は（Ｓ２２５：ＮＯ、Ｓ２２７：ＮＯ）、受信完了通知を受信したか否かの判断に戻る（Ｓ２２５）。最終的に印刷待ちリスト３００に記憶されたコンテンツがすべて複合機２００へ送信され、印刷待ちリスト３００がない状態となって図１４の処理に戻るか（Ｓ２２１：ＮＯ、Ｓ２３１）、送信中断要求に応じて図１４の処理に戻るまで（Ｓ２２７：ＹＥＳ、Ｓ２２８）、前述の処理が繰り返される。【００４１】  次に、図１７および図１８を参照して、閲覧端末１００において行われる印刷可否確認処理について説明する。この処理では、閲覧端末１００と複合機２００とが所定の距離内に近づいたときに複合機２００から送信される印刷確認要求に応じて、コンテンツ送信処理（図１４参照）で複合機２００に送信したコンテンツの印刷を開始してよいか否かが、ユーザに確認される。【００４２】  図１７に示すように、処理が開始されると、ＣＰＵ１０１はまず、���示外の電源スイッチがＯＦＦにされているか否かを判断する（Ｓ２５０）。電源スイッチがＯＮであれば（Ｓ２５０：ＮＯ）、ＣＰＵ１０１は、複合機２００から、印刷確認要求を受信したか否かを判断する（Ｓ２５１）。印刷確認要求とは、複合機２００において、タグリーダ２０９と閲覧端末１００の無線タグ１１０との無線通信に基づき、閲覧端末１００と複合機２００との距離が第３の距離（本実施形態では５ｍ）以内であると判断されたときに、複合機２００から送信される信号である。複合機２００におけるこのときの処理については、後述する。ＣＰＵ１０１は、印刷確認要求を受信したと判断するまで待機し（Ｓ２５１：ＮＯ、Ｓ２５１）、印刷確認要求を受信すると（Ｓ２５１：ＹＥＳ）、図１８に示す印刷確認画面７０を表示させる（Ｓ２５２）。図１８に示すように、印刷確認画面７０には、「複合機までの距離が１ｍになると、自動的に次のコンテンツの印刷を開始します。よろしいですか？」というメッセージと、印刷されるコンテンツのタイトルと、「開始する」ボタンおよび「中止する」ボタンが表示される。図１８の例では、印刷されるコンテンツのタイトルとして「復党問題で首相談話」が表示されている。なお、この例では、１つのコンテンツのタイトルのみが表示されているが、すでに複合機２００にこの閲覧端末１００から複数のコンテンツ情報が送信されている場合には、複数のタイトルが同時に表示される。印刷確認画面７０の表示後（Ｓ２５２）、ＣＰＵ１０１は、選択キー１３および決定キー１２の操作により、「中止する」ボタンが選択されたか否かに基づいて、印刷が拒否されたか否かを判断する（Ｓ２５３）。「中止する」ボタンが選択された場合には、印刷が拒否されたと判断され（Ｓ２５３：ＹＥＳ）、「印刷拒否」の返答が複合機２００に送信される（Ｓ２５４）。一方、「中止する」ボタンが選択されず（Ｓ２５３：ＮＯ）、「開始する」ボタンが選択された場合には、開始指示がされたと判断され（Ｓ２５５：ＹＥＳ）、「印刷許可」の返答が複合機２００に送信される（Ｓ２５４）。一方、「中止する」ボタンも「開始する」ボタンも選択されない場合は（Ｓ２５３：ＮＯ、Ｓ２５５：ＮＯ）、印刷が拒否されたか否かの判断に戻り（Ｓ２５３）、いずれかが選択されるまで監視が続けられる。複合機２００への返答送信後は（Ｓ２５４）、いずれの場合も電源がＯＦＦにされたか否かの判断（Ｓ２５０）に戻る。そして、電源がＯＦＦにされない間は（Ｓ２５０：ＮＯ）、ＣＰＵ１０１は前述の処理（Ｓ２５１〜Ｓ２５５）を繰り返し、電源がＯＦＦにされると（Ｓ２５０：ＹＥＳ）、図１７の印刷可否確認処理を終了する。【００４３】  次に、図１９〜図２３を参照して、複合機２００において行われる処理について説明する。図１９〜図２３の処理は、ＲＯＭ２０２に記憶された各処理用のプログラムに従って、ＣＰＵ２０１が実行する。いずれの処理も、複合機２００の電源がＯＮにされると同時に開始され、並行して実行される。【００４４】  図１９を参照して、複合機２００において行われる端末距離算出処理について説明する。この処理では、後述する他の処理における各種の判断で使用するために、タグリーダ２０９によって、交信範囲内にある閲覧端末１００の距離が算出され、各種の所定距離内にある閲覧端末１００が特定される。【００４５】  図１９の処理が開始されると、ＣＰＵ２０１はまず、ＥＥＰＲＯＭ２０４の閲覧端末ＩＤ記憶領域２０４１から、複合機２００に接続可能な閲覧端末１００の端末ＩＤをすべて取得し、ＲＡＭ２０３の印刷拒否フラグ記憶領域２０３１に記憶させる。各端末ＩＤに対応する印刷拒否フラグはすべて「ＯＦＦ」として記憶される（Ｓ１１）。次にＣＰＵ２０１は、図示外の電源スイッチにより複合機２００の電源がＯＦＦにされているか否かを判断する（Ｓ１２）。電源がＯＮであれば（Ｓ１２：ＹＥＳ）、タグリーダ２０９によって、このとき交信範囲内にあるすべての閲覧端末１００の無線タグ１１０と交信が行われる。ＣＰＵ２０１は、タグリーダ２０９と無線タグ１１０との交信結果から、複合機２００と各閲覧端末１００との距離を算出する（Ｓ１３）。なお、タグリーダ２０９による複合機２００と閲覧端末１００との距離の具体的な算出方法としては、いかなる周知の方法を採用しても構わない。例えば、タグリーダ２０９から各閲覧端末１００の無線タグ１１０に対してタイミング信号を送信し、無線タグ１１０から返信されてきたタイミング信号の伝搬往復時間に基づいて、距離を算出してもよい。他には例えば、無線タグ１１０からの無線電波の電波強度に基づいて、距離を算出してもよい。【００４６】  ＣＰＵ２０１は、タグリーダ２０９によって無線タグ１１０のメモリ部から各閲覧端末１００の端末ＩＤを読み取らせ、読み取られた端末ＩＤを、算出された距離に応じてＲＡＭ２０３の所定の記憶領域に記憶させる（Ｓ１４）。具体的には、ＣＰＵ２０１は、ＥＥＰＲＯＭ２０４の距離記憶領域２０４２に記憶された第１の距離〜第４の距離を読み出す。算出された距離が、第１の距離である１０ｍよりも短い閲覧端末１００の端末ＩＤが、ＲＡＭ２０３の第１の端末ＩＤ記憶領域２０３２に上書きされる。算出された距離が、第２の距離である１ｍよりも短い閲覧端末１００の端末ＩＤが、ＲＡＭ２０３の第２の端末ＩＤ記憶領域２０３３に上書きされる。算出された距離が、第３の距離である５ｍよりも短い閲覧端末１００の端末ＩＤが、ＲＡＭ２０３の第３の端末ＩＤ記憶領域２０３４に上書きされる。算出された距離が第４の距離である１０ｍよりも短い閲覧端末１００の端末ＩＤが、ＲＡＭ２０３の第４の端末ＩＤ記憶領域２０３５に上書きされる。なお、上書きする端末ＩＤがない場合には、「Ｎｕｌｌ」によって各記憶領域が上書きされる。ＲＡＭ２０３の所定の記憶領域に端末ＩＤが記憶された後（Ｓ１４）、ＣＰＵ１０１は、電源がＯＦＦにされているか否かの判断処理に戻る（Ｓ１２）。電源がＯＦＦにされていない間は（Ｓ１２：ＮＯ）、所定のタイミングで（例えば、１秒毎）前述の処理（Ｓ１２〜Ｓ１４）が繰り返され、電源がＯＦＦにされると（Ｓ１２：ＹＥＳ）、図１９の端末距離算出処理は終了する。【００４７】  図２０を参照して、複合機２００で行われるコンテンツ送信要求処理について説明する。この処理では、複合機２００が、端末距離算出処理（図１９参照）で第１の距離内に存在すると特定された閲覧端末１００に対して、印刷するコンテンツを送信するように要求する。この処理に対応して、閲覧端末１００では、前述のコンテンツ送信処理（図１４参照）が行われる。【００４８】  図２０に示す処理が開始されると、ＣＰＵ２０１はまず、図示外の電源スイッチがＯＦＦにされているか否かを判断する（Ｓ１００）。電源スイッチがＯＮであれば（Ｓ１００：ＮＯ）、ＣＰＵ２０１は、ＲＡＭ２０３の第１の端末ＩＤ記憶領域２０３２を参照して、第１の距離である１０ｍ以内に１以上の閲覧端末１００が存在するか否かを確認する（Ｓ１０１）。具体的には、第１の端末ＩＤ記憶領域２０３２に、端末ＩＤがまったく記憶されていなければ、第１の距離内に１以上の閲覧端末１００が存在しないと判断される（Ｓ１０１：ＮＯ）。この場合、ＣＰＵ１０１は、電源がＯＦＦにされたか否かの判断に戻る（Ｓ１００）。一方、第１の端末ＩＤ記憶領域２０３２に、１以上の端末ＩＤが記憶されていれば、第１の距離内に１以上の閲覧端末１００が存在する（Ｓ１０１：ＹＥＳ）。したがって、ＣＰＵ２０１は、ＲＡＭ２０３の印刷拒否フラグ記憶領域２０３１を参照して、第１の端末ＩＤ記憶領域２０３２に記憶された端末ＩＤに対応する印刷拒否フラグが「ＯＦＦ」であるか否かを判断する（Ｓ１０２）。前述したように、端末距離算出処理（図１９参照）の開始直後に、印刷拒否フラグ記憶領域２０３１に記憶されたすべての端末ＩＤに対応する印刷拒否フラグは「ＯＦＦ」にされる。しかし、後述する印刷確認要求処理（図２１参照）または消去処理（図２３参照）において、印刷拒否フラグが「ＯＮ」にされる場合がある。第１の端末ＩＤ記憶領域２０３２に記憶されている端末ＩＤに対応する印刷拒否フラグが「ＯＮ」の場合には（Ｓ１０２：ＮＯ）、距離に応じた自動印刷が拒否されているので、コンテンツの送信要求を行う必要はない。したがって、この場合、ＣＰＵ２０１は、電源がＯＦＦにされているか否かの判断に戻る（Ｓ１００）。なお、第１の端末ＩＤ記憶領域２０３２に複数の端末ＩＤが記憶されている場合、Ｓ１０２では、少なくとも１つの端末ＩＤについて印刷拒否フラグが「ＯＦＦ」であれば、「ＹＥＳ」と判断される。すなわち、すべての端末ＩＤについて印刷拒否フラグが「ＯＮ」の場合にのみ、「ＮＯ」と判断される。【００４９】  第１の端末ＩＤ記憶領域２０３２に記憶されている端末ＩＤのいずれかについて、印刷拒否フラグ記憶領域２０３１の印刷拒否フラグが「ＯＦＦ」であれば（Ｓ１０２：ＹＥＳ）、印刷拒否フラグが「ＯＦＦ」の閲覧端末１００に対して、コンテンツ送信要求が送信される（Ｓ１０３）。このとき、第１の端末ＩＤ記憶領域２０３２に記憶された端末ＩＤのすべてに対応して、応答済フラグがＯＦＦとして記憶される。ＣＰＵ２０１は、コンテンツ送信要求の送信先の閲覧端末１００から応答を受信するまで待機する（Ｓ１１１：ＮＯ、Ｓ１１１）。ＣＰＵ１０１は、応答を受信すると（Ｓ１１１：ＹＥＳ）、それが、印刷待ちコンテンツなしの応答か否かを判断する（Ｓ１１２）。印刷待ちコンテンツなしの応答であれば（Ｓ１１２：ＹＥＳ）、受信するコンテンツがないので、再び応答受信の監視に戻る（Ｓ１１１）。一方、応答が印刷待ちコンテンツなしの応答でない場合には（Ｓ１１２��ＮＯ）、ＣＰＵ２０１は、閲覧端末１００から送信されてくるコンテンツを受信し、ＲＡＭ２０３の受信コンテンツ記憶領域２０３９に記憶させる（Ｓ１１３）。ＣＰＵ２０１は、そのコンテンツの受信完了を監視し（Ｓ１１４：ＮＯ、Ｓ１１４）、受信が完了すると（Ｓ１１４：ＹＥＳ）、受信が完了したコンテンツの送信元の閲覧端末１００に受信完了通知を送信する（Ｓ１１５）。このとき、第１の端末ＩＤ記憶領域２０３２に記憶されたこの閲覧端末１００の端末ＩＤの応答済フラグがＯＮにされる。その後、ＣＰＵ２０１は、応答済フラグがすべてＯＮにされているか否かに基づいて、Ｓ１０３でコンテンツの送信を要求した閲覧端末１００のすべてから、応答があったか否かを判断する（Ｓ１１６）。まだ応答のない閲覧端末１００が残っていれば（Ｓ１１６：ＮＯ）、ＣＰＵ２０１は、応答受信の判断に戻って（Ｓ１１１）、前述の処理を繰り返す（Ｓ１１２〜Ｓ１１６）。すべての閲覧端末１００からの応答が完了すると（Ｓ１１６：ＹＥＳ）、ＣＰＵ２０１は、電源がＯＦＦにされているか否かの判断処理に戻る（Ｓ１００）。【００５０】  電源ＯＦＦの判断処理（Ｓ１００）に戻った場合はいずれも、電源がＯＦＦにされない間は（Ｓ１００：ＮＯ）、前述の処理（Ｓ１０１〜Ｓ１０３、Ｓ１１１〜Ｓ１１６）が繰り返され、電源がＯＦＦにされると（Ｓ１００：ＹＥＳ）、図２０の処理は終了する。【００５１】  次に、図２１を参照して、複合機２００で行われる印刷確認要求処理について説明する。この処理では、前述の端末距離算出処理（図１９参照）で第３の距離内に存在すると特定された閲覧端末１００に対して、コンテンツ送信要求に基づいてすでに複合機２００に送信されたコンテンツを印刷するか否かの確認が要求される。この処理に対応して、閲覧端末１００では、前述の印刷可否確認処理（図１７参照）が行われる。【００５２】  図２１に示す処理が開始されると、ＣＰＵ２０１はまず、図示外の電源スイッチがＯＦＦにされているか否かを判断する（Ｓ１７０）。電源スイッチがＯＮであれば（Ｓ１７０：ＮＯ）、ＣＰＵ２０１は、ＲＡＭ２０３の第３の端末ＩＤ記憶領域２０３４を参照して、第３の距離である５ｍ以内に、１以上の閲覧端末１００が存在するか否かを確認する（Ｓ１７１）。具体的には、第３の端末ＩＤ記憶領域２０３４に、端末ＩＤがまったく記憶されていなければ、第１の距離内に１以上の閲覧端末１００が存在しないと判断される（Ｓ１７１：ＮＯ）。この場合、ＣＰＵ２０１は、電源がＯＦＦにされているか否かの判断に戻る（Ｓ１７０）。第３の端末ＩＤ記憶領域２０３４に、１以上の端末ＩＤが記憶されていれば（Ｓ１７１：ＹＥＳ）、ＣＰＵ２０１は、ＲＡＭ２０３の印刷拒否フラグ記憶領域２０３１を参照して、第３の端末ＩＤ記憶領域２０３４に記憶された端末ＩＤに対応する印刷拒否フラグが「ＯＦＦ」であるか否かを判断する（Ｓ１７２）。第３の端末ＩＤ記憶領域２０３４に記憶されている端末ＩＤに対応する印刷拒否フラグがすべて「ＯＮ」の場合には（Ｓ１７２：ＮＯ）、距離に応じた自動印刷が拒否されているので、印刷確認要求を行う必要はない。したがって、この場合、ＣＰＵ２０１は、電源がＯＦＦにされたか否かの判断��戻る（Ｓ１７０）。【００５３】  第３の端末ＩＤ記憶領域２０３４に記憶されている端末ＩＤについて、印刷拒否フラグ記憶領域２０３１の印刷拒否フラグが「ＯＦＦ」の端末ＩＤがあれば（Ｓ１７２：ＹＥＳ）、印刷拒否フラグが「ＯＦＦ」の閲覧端末１００に対して、印刷確認要求が送信される（Ｓ１７３）。なお、このとき、第３の端末ＩＤ記憶領域２０３４に記憶された端末ＩＤのすべてに対応して、応答済フラグがＯＦＦとして記憶される。その後、ＣＰＵ２０１は、印刷確認要求の送信先の閲覧端末１００から応答を受信するまで待機し（Ｓ１８１：ＮＯ、Ｓ１８１）、応答を受信すると（Ｓ１８１：ＹＥＳ）、それが、印刷拒否の応答か否かを判断する（Ｓ１８２）。また、このとき、ＣＰＵ２０１は、第３の端末ＩＤ記憶領域２０３４に記憶されたこの閲覧端末１００の端末ＩＤの応答済フラグをＯＮにする。応答が、印刷拒否の応答でなければ（Ｓ１８２：ＮＯ）、印刷拒否フラグは「ＯＦＦ」のままでよいので、ＣＰＵ２０１は、再び応答受信の監視に戻る（Ｓ１８１）。一方、応答が印刷拒否の応答の場合には（Ｓ１８２：ＹＥＳ）、ＣＰＵ２０１は、印刷拒否フラグ記憶領域２０３１において、送信元の閲覧端末１００の端末ＩＤに対応する印刷拒否フラグを「ＯＮ」にする（Ｓ１８３）。その後、ＣＰＵ２０１は、第３の端末ＩＤ記憶領域２０３４の応答済フラグがすべてＯＮにされたか否かに基づいて、Ｓ１７３で印刷確認を要求した閲覧端末１００のすべてから、応答があったかを判断する（Ｓ１８４）。まだ応答のない閲覧端末１００が残っていれば（Ｓ１８４：ＮＯ）、ＣＰＵ２０１は、応答受信の判断に戻って（Ｓ１８１）前述の処理を繰り返す（Ｓ１８２〜Ｓ１８４）。すべての閲覧端末１００からの応答が完了すると（Ｓ１８４：ＹＥＳ）、ＣＰＵ２０１は、電源がＯＦＦにされたか否かの判断処理に戻る（Ｓ１７０）。【００５４】  電源ＯＦＦの判断処理（Ｓ１７０）に戻った場合はいずれも、電源がＯＦＦにされない間は（Ｓ１７０：ＮＯ）、前述の処理（Ｓ１７１〜Ｓ１７３、Ｓ１８１〜Ｓ１８４）が繰り返される。電源がＯＦＦにされると（Ｓ１７０：ＹＥＳ）、図２１の処理は終了する。【００５５】  次に、図２２を参照して、複合機２００で行われる印刷処理について説明する。この処理では、コンテンツ送信要求に基づいて複合機２００に送信され、すでに複合機２００に記憶されている受信コンテンツのうち、前述の端末距離算出処理（図１９参照）で第２の距離内に存在すると特定された閲覧端末１００からの受信コンテンツが印刷される。【００５６】  図２２に示す処理が開始されると、ＣＰＵ２０１はまず、図示外の電源スイッチがＯＦＦにされているか否かを判断する（Ｓ１３０）。電源スイッチがＯＮであれば（Ｓ１３０：ＮＯ）、ＣＰＵ２０１は、ＲＡＭ２０３の第２の端末ＩＤ記憶領域２０３３を参照して、第２の距離である１ｍ以内に１以上の閲覧端末１００が存在するか否かを確認する（Ｓ１３１）。第２の端末ＩＤ記憶領域２０３３に、端末ＩＤがまったく記憶されていなければ、第１の距離内に１以上の閲覧端末１００が存在しないと判断される（Ｓ１３１：ＮＯ）。この場合は、電源がＯＦＦにされているか否かの判断に戻る（Ｓ１３０）。一方、第２の端末ＩＤ記憶領域２０３３に、１以上の端末ＩＤが記憶されていれば（Ｓ１３１：ＹＥＳ）、ＣＰＵ２０１は、ＲＡＭ２０３の印刷拒否フラグ記憶領域２０３１を参照して、第２の端末ＩＤ記憶領域２０３３に記憶された端末ＩＤに対応する印刷拒否フラグが「ＯＦＦ」であるか否かを判断する（Ｓ１３２）。第２の端末ＩＤ記憶領域２０３３に記憶されている端末ＩＤに対応する印刷拒否フラグがすべて「ＯＮ」の場合には（Ｓ１３２：ＮＯ）、距離に応じた自動印刷が拒否されているので、印刷は実行されない。したがって、この場合、ＣＰＵ２０１は、電源がＯＦＦにされているか否かの判断に戻る（Ｓ１３０）。【００５７】  一方、第２の端末ＩＤ記憶領域２０３３に記憶されている端末ＩＤに、対応する印刷拒否フラグが「ＯＦＦ」の端末ＩＤがあれば（Ｓ１３２：ＹＥＳ）、印刷拒否フラグが「ＯＦＦ」の閲覧端末１００から送信されたコンテンツが、受信コンテンツ記憶領域２０３７に記憶されているか否かが判断される（Ｓ１３３）。前述したように、受信コンテンツ記憶領域２０３７には、受信コンテンツリスト４００として、受信されたコンテンツの送信元の閲覧端末１００の端末ＩＤと、コンテンツＩＤと、コンテンツのタイトルおよび本文のデータとが記憶されている（図１１参照）。例えば、第２の端末ＩＤ記憶領域２０３３に端末ＩＤ「Ｓ３１２」のみが記憶されており、印刷拒否フラグ記憶領域２０３１では、端末ＩＤ「Ｓ３１２」の印刷拒否フラグは「ＯＦＦ」であり、受信コンテンツ記憶領域２０３７には、図１１の受信コンテンツリスト４００が記憶されているとする。受信コンテンツリスト４００には、印刷拒否フラグがＯＦＦの端末ＩＤ「Ｓ３１２」のコンテンツが存在するので（Ｓ１３３：ＹＥＳ）、Ｓ１３４に進む。一方、例えば、第２の端末ＩＤ記憶領域２０３３に端末ＩＤ「Ｓ５００」のみが記憶されているような場合（印刷拒否フラグは「ＯＦＦ」）には、図１１の受信コンテンツリスト４００には、端末ＩＤ「Ｓ５００」のコンテンツは存在しない。よって、ＣＰＵ２０１は、印刷拒否フラグが「ＯＦＦ」の端末の受信コンテンツはないと判断し（Ｓ１３３：ＮＯ）、電源がＯＦＦにされているか否かの判断に戻る（Ｓ１３０）。【００５８】  印刷拒否フラグがＯＦＦの端末ＩＤの受信コンテンツが存在する場合には（Ｓ１３３：ＹＥＳ）、ＣＰＵ２０１は、記録部２０６（図７参照）を制御して、印刷を実行させる。具体的には、第２の距離内にあって、印刷拒否フラグが「ＯＦＦ」である閲覧端末１００から受信されたコンテンツのうち、受信コンテンツリスト４００に最初に記憶されているコンテンツの印刷が実行される（Ｓ１３４）。例えば、図１１の受信コンテンツリスト４００では、端末ＩＤ「Ｓ３１２」から受信されたコンテンツは、２行目のコンテンツＩＤ「２００７０３１５０３１１．ｓｒｃ」の「サイトＣ」と、３行目のコンテンツＩＤ「ｄｏｃｕｍｅｎｔ５．ｄｏｃ」の「ドキュメント５」の２つがある。この場合は、端末ＩＤ「Ｓ３１２」からの２つの受信コンテンツのうち、最初に記憶されているコンテンツである「サイトＣ」が印刷される。ＣＰＵ２０１は、印刷が終了するまで待機し（Ｓ１３５：ＮＯ、Ｓ１３５）、印刷が��了すると（Ｓ１３５：ＹＥＳ）、印刷が終了したコンテンツを受信コンテンツ記憶領域２０３７の受信コンテンツリスト４００から消去する（Ｓ１３６）。前述の図１１の例では、２行目の端末ＩＤ「Ｓ３１２」、コンテンツＩＤ「２００７０３１５０３１１．ｓｒｃ」、「サイトＣ」が消去される。ＣＰＵ２０１は、電源がＯＦＦにされているか否かの判断に戻り（Ｓ１３０）、電源がＯＦＦにされない間は（Ｓ１３０：ＮＯ）、前述の処理（Ｓ１３１〜Ｓ１３６）を繰り返す。例えば、前述のように図１１の受信コンテンツリスト４００が処理され、今度は、第２の端末ＩＤ記憶領域２０３３に、端末ＩＤ「Ｓ６４３」と「Ｓ３１２」とが記憶されたとする（Ｓ１３１：ＹＥＳ）。いずれの印刷拒否フラグも「ＯＦＦ」の場合（Ｓ１３２：ＹＥＳ）、このとき受信コンテンツリスト４００には、端末ＩＤ「Ｓ６４３」のコンテンツＩＤ「ｄｏｃｕｍｅｎｔ１．ｄｏｃ」のコンテンツ「ドキュメント１」と、端末ＩＤ「Ｓ３１２」のコンテンツＩＤ「ｄｏｃｕｍｅｎｔ５．ｄｏｃ」のコンテンツ「ドキュメント５」の２つの受信コンテンツが残された状態である。すなわち、いずれの閲覧端末１００の受信コンテンツも記憶されている（Ｓ１３３：ＹＥＳ）。この場合は、１行目の端末ＩＤ「Ｓ６４３」のコンテンツＩＤ「ｄｏｃｕｍｅｎｔ１．ｄｏｃ」のコンテンツ「ドキュメント１」が印刷されることになる（Ｓ１３４）。その後の処理で、端末ＩＤ「Ｓ３１２」の閲覧端末１００が第２の距離である１ｍ以内にいれば、同様にしてコンテンツ「ドキュメント５」も印刷されることになる。ＣＰＵ２０１は、このようにして処理を繰り返し、電源がＯＦＦにされた時点で（Ｓ１３０：ＹＥＳ）、図２２の処理を終了する。【００５９】  次に、図２３を参照して、複合機２００で行われる消去処理について説明する。この処理では、すでに受信コンテンツ記憶領域２０３７に記憶されている受信コンテンツのうち、前述の端末距離算出処理（図１９参照）での算出結果に基づき、第４の距離以上離れたと特定された閲覧端末１００からの受信コンテンツが消去される。【００６０】  図２３に示す処理が開始されると、ＣＰＵ２０１はまず、図示外の電源スイッチがＯＦＦにされているか否かを判断する（Ｓ１５０）。電源スイッチがＯＮであれば（Ｓ１５０：ＮＯ）、ＣＰＵ２０１は、ＲＡＭ２０３の第４の端末ＩＤ記憶領域２０３５および受信コンテンツ記憶領域２０３７を参照して、第４の距離である１０ｍ以上複合機２００から離れていった１以上の閲覧端末１００が存在するか否かを確認する（Ｓ１５１）。具体的には、受信コンテンツ記憶領域２０３７に記憶された受信コンテンツリスト４００にある端末ＩＤが、第４の端末ＩＤ記憶領域２０３５に記憶されていなければ、その閲覧端末１００は、コンテンツの送信後または送信中に、第４の距離である１０ｍ以上に離れていったと判断される（Ｓ１５１：ＹＥＳ）。この場合は、特定された閲覧端末１００の端末ＩＤをＲＡＭ２０３の第５の端末ＩＤ記憶領域２０３６に記憶させる。そして、後述するように、閲覧端末１００のユーザに印刷の意思はないものとして、一定時間後に受信コンテンツ記憶領域２０３７に記憶されたこの閲覧端末１００からの受信コ���テンツを消去する処理に進む。一方、受信コンテンツリスト４００にある端末ＩＤが、すべて第４の端末ＩＤ記憶領域２０３５に記憶されていれば、その閲覧端末１００は、第４の距離である１０ｍ以上離れていない（Ｓ１５１：ＮＯ）。この場合は、ＣＰＵ２０１は、受信コンテンツを消去する必要はないので、そのまま電源がＯＦＦにされているか否かの判断に戻る（Ｓ１５０）。【００６１】  第４の距離である１０ｍ以上に離れていった閲覧端末１００が１以上ある場合には（Ｓ１５１：ＹＥＳ）、ＣＰＵ２０１は、離れていった閲覧端末１００から現在まだコンテンツを受信中であるか否かを判断する（Ｓ１５２）。受信中ではない場合（Ｓ１５２：ＮＯ）、ＣＰＵ２０１は、印刷拒否フラグ記憶領域２０３１に記憶されたその閲覧端末１００の端末ＩＤに対応する印刷拒否フラグを「ＯＮ」にする（Ｓ１６１）。一方、離れていった閲覧端末１００から現在コンテンツを受信中である場合には（Ｓ１５２：ＹＥＳ）、ＣＰＵ２０１は、離れていった閲覧端末１００に対して、コンテンツの送信中断を要求する（Ｓ１５３）。続いて、対応する印刷拒否フラグが「ＯＦＦ」にされる（Ｓ１６１）。それとあわせて、ＣＰＵ２０１は、ＲＡＭ２０３の経過時間カウンタ記憶領域２０３８に記憶されている経過時間カウンタにより、印刷拒否フラグＯＦＦからの経過時間のカウントを開始する（Ｓ１６２）。ＣＰＵ２０１は、経過時間カウンタの示す経過時間が、予め設定された所定時間を超えるまで待機する（Ｓ１６３：ＮＯ、Ｓ１６３）。所定時間としては、一旦コンテンツの送信を行いながら、それだけの時間複合機２００に近づかないのであれば、閲覧端末１００を携帯するユーザには印刷意思はないだろうと推測できる時間を設定すればよい。例えば、「６０秒」等に設定することができる。ＣＰＵ２０１は、所定時間を経過したと判断した場合（Ｓ１６３：ＹＥＳ）、印刷拒否フラグ記憶領域２０３１に記憶されている、離れていった閲覧端末１００の印刷拒否フラグを「ＯＦＦ」に戻す（Ｓ１６４）。また、ＣＰＵ２０１は、この閲覧端末１００からの受信コンテンツを、受信コンテンツ記憶領域２０３７の受信コンテンツリスト４０から消去した後（Ｓ１６５）、電源がＯＦＦにされたか否かの判断に戻る（Ｓ１５０）。【００６２】  電源ＯＦＦの判断処理（Ｓ１５０）に戻った場合はいずれも、電源がＯＦＦにされない間は（Ｓ１５０：ＮＯ）、前述の処理（Ｓ１５１〜Ｓ１５３、Ｓ１５５、Ｓ１６１〜Ｓ１６５）が繰り返される。電源がＯＦＦにされると（Ｓ１５０：ＹＥＳ）、図２３の処理は終了する。【００６３】  以上に説明したように、本実施形態に係る印刷制御システム１は、閲覧端末１００と複合機２００とを備えている。複合機２００は、タグリーダ２０９を備えており、タグリーダ２０９を介して閲覧端末１００の無線タグ１１０との間で無線通信を行って、閲覧端末１００との距離を算出することができる（図１９の距離算出処理）。複合機２００は、閲覧端末１００が所定の第１の距離（例えば、１０ｍ）まで近づくと、閲覧端末１００に対して印刷するコンテンツを送信するよう要求する（図２０のコンテンツ送信要求処理）。閲覧端末１００では、ユーザの操作に応じて印刷す���コンテンツが特定され（図１２の印刷対象特定処理）、複合機２００からの送信要求に応じて、特定されたコンテンツが送信される（図１４のコンテンツ送信処理）。さらに、複合機２００は、閲覧端末１００が所定の第３の距離（例えば、５ｍ）まで近づくと、閲覧端末１００に対して、すでに送信されたコンテンツを印刷してよいか確認するよう要求する（図２１の印刷確認要求処理）。閲覧端末１００は、複合機２００からの印刷確認要求に応じて、ユーザに印刷可否の確認を行わせる（図１７の印刷可否確認処理）。さらに、複合機２００は、閲覧端末１００が所定の第２の距離（例えば、１ｍ）まで近づくと、閲覧端末１００からのコンテンツの印刷を開始する（図２２の印刷処理）。また、複合機２００は、一旦、第１の距離（例えば、１０ｍ）まで近づいた後に第４の距離（例えば、１０ｍ）以上に離れていった閲覧端末１００については、一定時間が経過すると、複合機２００にすでに送信され、記憶されているコンテンツがあれば消去する（図２３の消去処理）。【００６４】  このように、閲覧端末１００から複合機２００へコンテンツを送信する時期と、複合機２００で印刷を開始する時期が適切な間隔をおいて設定される。したがって、閲覧端末１００とともに複合機２００まで移動するユーザが、複合機２００の前で待つ時間を短縮できる。また、ユーザが予め距離に応じた自動印刷が可能な印刷モードを選択しておけば、閲覧端末１００を持って複合機２００に近づいていくだけで印刷が実行される。したがって、ユーザは、わざわざ閲覧端末１００で近くにある複合機２００を印刷先として指定する作業を行う必要がない。【００６５】  また、本実施形態の印刷制御システム１では、閲覧端末１００ではなく、複合機２００が距離を算出する機能を有する。したがって、ユーザが携帯して移動する閲覧端末１００の構成を複雑化させなくても、複合機２００側で算出された正確な距離に基づいて、コンテンツの送信や印刷の開始をすることができる。さらに、実施形態の印刷制御システム１では、距離算出機能は、周知のタグリーダ２０９と無線タグ１１０の組合せを利用して実現されている。したがって、簡単な構成で正確な距離を算出することができる。【００６６】  また、閲覧端末１００が、第４の距離（例えば、１０ｍ）以上に離れると、複合機２００に記憶されたコンテンツは自動的に消去される。したがって、複合機２００に残ったコンテンツが流出する等、秘密管理上の問題を回避することができる。さらに、本実施形態では、第４の距離以上に離れた後、所定時間が経過してからコンテンツが消去される。したがって、閲覧端末１００のユーザが、一時的に複合機２００から第４の距離以上離れただけで、所定時間内に再び複合機２００に近づいて印刷を行いたい場合には、コンテンツを送信しなおす必要がなく、印刷時間を短縮することができる。また、閲覧端末１００は、所定時間が経過して、コンテンツが消去されなければ、再度同じコンテンツを送信することができない。したがって、閲覧端末１００からのコンテンツの二重送信を防ぐことができる。【００６７】  また、印刷開始前の、閲覧端末１００が複合機２００から第３の距離（例えば、５ｍ）まで近づいたと��に、印刷可否が確認される。したがって、閲覧端末１００を携帯したユーザが、印刷意思がなく複合機２００にただ近づいた場合に、意図に反した印刷が行われてしまう不都合は生じない。【００６８】  なお、前述の実施形態に示される印刷制御システム１の構成は例示であり、各種の変形が可能なことはいうまでもない。例えば、前述の実施形態では、印刷するコンテンツを特定する印刷モードの例として、表示部１５に詳細を表示中のコンテンツを自動的に印刷する「表示印刷モード」、および、印刷予約がされたコンテンツを自動的に印刷する「予約印刷モード」について説明されている。しかし、印刷するコンテンツを特定する方法はこれに限らない。例えば、図２４および図２５を参照して以下に説明する変形例のようにしてもよい。【００６９】  図２４に示す高評価コンテンツ送信処理は、前述の実施形態のコンテンツ送信処理（図１４）で行われていた表示コンテンツ送信処理（Ｓ２１０、図１５）にかえて行うことができる。具体的には、閲覧端末１００の表示部１５に表示される印刷モード選択画面８０（図６参照）で、選択肢として表示される「表示コンテンツ自動印刷」にかえて、「高評価コンテンツ自動印刷」を選択肢とすればよい。閲覧端末１００のＲＡＭ１０３のコンテンツ記憶領域１０３１を、コンテンツＩＤ、コンテンツのタイトルおよび本文のデータに加えて、ユーザによるコンテンツの評価を３段階で記憶できるように構成すればよい。評価は、ユーザが入力するようにしてもよいし、ユーザが頻繁にアクセスするインターネット上のサイト等を自動的に解析して付与するようにしてもよい。前述のように、コンテンツ一覧画面５０（図４参照）でコンテンツの印刷予約がされると、図２５に示すように、印刷待ちリスト３１０が作成され、印刷待ちコンテンツ記憶領域１０３３に記憶される。具体的には、印刷待ちリスト３１０には、コンテンツＩＤと、コンテンツのタイトルおよび本文のデータと、評価とが対応づけられて記憶される。図２５の印刷待ちリスト３１０の例では、最初に印刷予約された１行目のコンテンツは、コンテンツＩＤ「ｄｏｃｕｍｅｎｔ１．ｄｏｃ」の「ドキュメント１」であり、その評価は「２」である。２番目に印刷予約がされた２行目のコンテンツは、コンテンツＩＤ「２００７０３１５０３７２．ｓｒｃ」の「サイトＡ」であり、その評価は「３」である。図２５の印刷待ちリスト３１０は、同様にして、６つのコンテンツが印刷予約された状態を示している。【００７０】  このような印刷待ちリスト３１０に基づき、図２４の高評価コンテンツ送信処理を行うことができる。具体的には、図１４のＳ２０３を「高評価コンテンツ自動印刷モードが選択されているか否か？」の判断ステップに変更し、「高評価コンテンツ自動印刷モードが選択されている（Ｓ２０３：ＹＥＳ）」と判断された場合に、ＣＰＵ１０１が、図２４の処理を行えばよい。図２４の処理が開始されると、ＣＰＵ１０１はまず、ＲＡＭ１０３の印刷待ちコンテンツ記憶領域１０３３に印刷待ちリスト３１０（図２５参照）が記憶されているか否かを判断する（Ｓ３０１）。印刷待ちリスト３１０が記憶されていない場合には（Ｓ３０１：ＮＯ）、複合機２００に対して、印刷待��コンテンツがない旨の通知を送信してから（Ｓ３１１）、図２４の処理の最初（Ｓ３０１）に戻る。【００７１】  一方、印刷待ちコンテンツ記憶領域１０３３に記憶されている印刷待ちリスト３１０があれば（Ｓ３０１：ＹＥＳ）、ＣＰＵ１０１は、評価が３以上のコンテンツで最初に記憶されているものを選択する（Ｓ３０２）。例えば、図２５の印刷待ちリスト３１０の場合には、評価が「３」である最初のコンテンツである、コンテンツＩＤ「２００７０３１５０３７２．ｓｒｃ」の「サイトＡ」が選択される。ＣＰＵ１０１は、選択したコンテンツを複合機２００へ送信する（Ｓ３０３）。その後の処理（Ｓ３０４〜Ｓ３０５、Ｓ３０８〜Ｓ３０９）は、予約コンテンツ送信処理（図１６参照）と同様なので、説明は省略する。なお、送信するコンテンツの評価は、必ずしも「３以上」とする必要はなく、ユーザが任意に設定すればよい。【００７２】  このような変形例によれば、予め記憶された評価が高いコンテンツが特定され、自動的に複合機２００に送信される。したがって、例えば、ユーザがコンテンツの内容を確認したときに評価を設定しておけば、評価の高いもののみ後でまとめて印刷することができる。【００７３】  また、前述の実施形態では、距離算出に用いられるタグリーダ２０９は、複合機２００に設けられている。しかし、閲覧端末１００にタグリーダを設け、複合機２００に無線タグ１１０を装着する形態とすることも可能である。この場合、複合機２００からの要求によらず、閲覧端末１００が距離を算出した結果に応じてコンテンツの送信を行うことができる。さらに、距離算出の方法は、無線タグとタグリーダによる方法に限られず、他に、レーザーやＧＰＳ等による方法を採用してもよい。その場合も、距離算出は、複合機２００で行っても、閲覧端末１００で行ってもよい。【００７４】  前述の実施形態では、印刷対象となるコンテンツは、メモリカード１８０に記憶されたコンテンツＩＤと、タイトルおよび本文のデータすべてを一旦閲覧端末１００のＲＡＭ１０３に取得して記憶させている。しかし、コンテンツＩＤのみをＲＡＭ１０３に取得しておき、コンテンツを複合機２００に送信するときに、メモリカード１８０からタイトルおよび本文のデータを取得して送信してもよい。【００７５】  前述の実施形態は、閲覧端末１００がコンテンツの印刷データそのものを保持しており、適宜、複合機２００に送信する例である。しかし、閲覧端末１００から送信されるデータは、印刷データに限られず、例えば、コンテンツの識別情報（コンテンツＩＤ）のみでも良い。閲覧端末１００からコンテンツＩＤのみが複合機２００に送信される場合は、複合機２００がコンテンツＩＤに基づいて対応する印刷データを外部装置から予め取得し、閲覧端末１００が第２の距離に近づいたら印刷を実行すればよい。なお、本発明における「印刷指示を送信する」とは印刷指示として「印刷データそのものを送信する」こと、または、「コンテンツの識別情報のみを送信する」ことのいずれの場合も含むものである。【００７６】  また、前述の実施形態では、コンテンツの送信や印刷に関する判断基準となる所定の距離について、第１の距離＝１０ｍ、第３の距離＝５ｍ、第２の距離��１ｍ、第４の距離＝１０ｍと設定されている。しかし、これらの距離の関係は、前述した例に限定されるものではなく、「第４の距離≧第１の距離>第３の距離>第２の距離」の関係となっていればよい。したがって、例えば、第４の距離＝１２ｍ≧第１の距離＝１０ｍ>第３の距離＝３ｍ>第２の距離＝２ｍ等に変更することももちろん可能である。【００７７】  また、前述の実施形態では、閲覧端末１００が第４の距離以上に離れた場合、印刷拒否フラグが「ＯＮ」にされている間は、複合機２００は、コンテンツの送信要求を行わないように構成されている。そして、印刷拒否フラグが「ＯＮ」にされている時間は、コンテンツを消去するまでの待機時間と同じである。しかし、これらの時間をそれぞれ別に設定することも可能である。【００７８】  また、前述の実施形態では、コンテンツの送信に閲覧端末１００から複合機２００への無線通信を用いている。この他に、予め他のネットワークにつながったＰＣなどから、コンテンツを複合機２００へ前もって予約送信しておき、閲覧端末１００の無線タグ１１０の認識をトリガとして、複合機２００が各種の処理を行うこともできる。例えば、所定距離内に閲覧端末１００が近づいたら、その距離に応じて複合機２００から「印刷メッセージ」を出したり、複合機２００で印刷開始したりすることも可能である。この場合、無線タグ１１０には閲覧端末１００の識別情報が記憶されているため、予め予約送信した端末ＩＤで管理、印刷することが可能である。【００７９】  本開示に係る印刷制御システムでは、複数の印刷装置のうち、いずれかの印刷装置と閲覧端末との距離が、所定の距離である第１距離まで近づいたときに、閲覧端末からその印刷装置にコンテンツの印刷指示を送信して印刷装置に記憶させておき、両者がさらに第２距離まで近づくと、その印刷装置が記憶されたコンテンツの印刷を開始する。したがって、ユーザは閲覧端末を持って印刷装置に近づいていくだけでよく、閲覧端末で、わざわざ近くにある印刷装置を出力先として指定する作業を行う必要がない。また、コンテンツの印刷指示の送信と印刷開始とが適切な間隔をおいて実行されるので、閲覧端末とともに印刷装置まで移動してくるユーザが、印刷装置の前で待つ時間を短縮することができる。【００８０】  本開示に係る印刷制御システムでは、ユーザが携帯して移動する閲覧端末ではなく、印刷装置において、印刷装置と閲覧端末との距離が算出されるように構成されてもよい。この場合、個々の閲覧端末の構成を複雑化することなく、印刷装置側で算出された正確な距離に基づいて、コンテンツの印刷指示の送信や印刷の開始をすることができる。【００８１】  本開示に係る印刷制御システムでは、閲覧端末に無線タグが装着されており、印刷装置が、無線タグとの無線通信により、距離を算出する構成とされてもよい。例えば、閲覧端末に無線タグを装着し、印刷装置にタグリーダを設けて、両者間の通信に基づいて距離を算出すれば、簡単な構成で正確な距離を算出することができる。【００８２】  本開示に係る印刷装置は、閲覧端末と印刷装置との距離が、所定の距離である第１距離まで近づいたときに、閲覧端末から送信されたコンテンツの印刷指示を受信して記憶してお���、両者がさらに第２距離まで近づくと、印刷装置に記憶されたコンテンツの印刷指示に基づいてコンテンツの印刷を開始する。したがって、ユーザは閲覧端末を持ってこの印刷装置に近づいていくだけで、この印刷装置からコンテンツの印刷が実行できる。またコンテンツの印刷指示の受信と印刷開始が適切な間隔をおいて実行されるので、ユーザが印刷装置の前で待つ時間を短縮できる。【００８３】  本開示に係る印刷装置は、閲覧端末との距離を算出する構成とされてもよい。この場合、算出された正確な距離に基づいて、コンテンツの印刷指示の送信や印刷の開始をすることができる。【００８４】  本開示に係る印刷装置は、閲覧端末が備える無線タグとの間で無線通信により距離測定信号の送受信を行い、距離測定信号の送受信状態に基づいて閲覧端末との距離を算出する構成とされてもよい。この場合、距離算出にタグリーダを利用すれば、簡単な構成で正確な距離を算出することができる。【００８５】  本開示に係る印刷装置は、閲覧端末が、第１距離以上である第３距離以上に離れると、記憶されたコンテンツの印刷指示を自動的に消去する構成とされてもよい。この場合、印刷装置に残ったデータが流出する等、秘密管理上の問題を回避することができる。【００８６】  本開示に係る印刷装置は、閲覧端末が第３距離以上印刷装置から離れ、かつ、一定時間が経過するとコンテンツの印刷指示を消去する構成とされてもよい。この場合、閲覧端末のユーザが、一時的に印刷装置から離れただけで、再び印刷装置に近づいて印刷を行いたい場合に、コンテンツの印刷指示を送信しなおす必要がないため、印刷時間を短縮することができる。【００８７】  本開示に係る印刷装置は、閲覧端末が第３距離以上印刷装置から離れ、かつ、一定時間が経過するまでは、閲覧端末にコンテンツの印刷指示の送信要求を行わない構成とされてもよい。この場合、閲覧端末からのコンテンツの印刷指示の二重送信を防ぐことができる。【００８８】  本開示に係る印刷装置は、閲覧端末との距離がコンテンツの印刷指示の送信を開始する第１距離と印刷を開始する第２距離の間の第４距離以内になると、閲覧端末に対して、印刷を開始してよいかどうかの最終確認を行う構成とされてもよい。この場合、閲覧端末のユーザが印刷意思がなく印刷装置にただ近づいた場合に、意図に反した印刷が行われてしまう不都合を解消することができる。【００８９】  本開示に係る印刷プログラムは、本開示に係る印刷装置の各種処理手段としてコンピュータを機能させることができる。したがって、本開示に係る印刷装置と同様の効果を奏することができる。【００９０】  本開示に係る閲覧端末は、閲覧端末との距離が第１距離以下になった印刷装置に対してコンテンツの印刷指示を送信する。したがって、ユーザは閲覧端末を持って印刷装置から第１距離以内に近づいていくだけでよく、ユーザがわざわざ閲覧端末で近くにある印刷装置を出力先として指定する作業を行う必要がない。【００９１】  本開示に係る閲覧端末は、印刷装置との距離が第１距離以下になったときに印刷装置から送信されるコンテンツの印刷指示の送信要求を受信し、これに応じて、印刷装置にコンテンツの印刷指示を送信する構成とされてもよい。この���合、印刷装置からの指示に応じて適切な時期にコンテンツの印刷指示を送信することができる。【００９２】  本開示に係る閲覧端末は、無線タグを備えており、無線タグとの通信によって算出された距離が第１距離以下になったとときに印刷装置から送信された送信要求に応じて、印刷装置にコンテンツの印刷指示を送信する構成とされてもよい。この場合、閲覧端末に無線タグを装着するという簡単な構成で、正確に算出された距離に基づく送信要求を受けることができる。【００９３】  本開示に係る閲覧端末は、印刷装置に印刷指示を送信するコンテンツを特定することができるように構成されてもよい。この場合、ユーザが印刷を希望するコンテンツの印刷指示のみを送信することができる。【００９４】  本開示に係る閲覧端末は、閲覧端末の表示画面に現在表示されている画像のコンテンツが特定され、そのコンテンツの印刷指示が印刷装置に送信される構成とされてもよい。この場合、閲覧端末のユーザは、特に印刷設定作業をしなくても、印刷をしたいコンテンツの表示を見ながら印刷装置に近づくだけで、印刷指示を送信することができる。【００９５】  本開示に係る閲覧端末では、予め記憶された評価が高いコンテンツが特定され、そのコンテンツの印刷指示が印刷装置に送信される構成とされてもよい。この場合、ユーザがコンテンツの内容を確認したときに評価を設定しておけば、評価の高いもののみ後でまとめて印刷指示を送信することができる。【００９６】  本開示に係る閲覧プログラムは、本開示に係る閲覧端末の各種処理手段としてコンピュータを機能させることができる。したがって、本開示に係る閲覧端末と同様の効果を奏することができる。
【図１】
2008117785.tif 000003
【図２】
2008117785.tif 000004
【図３】
2008117785.tif 000005
【図４】
2008117785.tif 000006
【図５】
2008117785.tif 000007
【図６】
2008117785.tif 000008
【図７】
2008117785.tif 000009
【図８】
2008117785.tif 000010
【図９】
2008117785.tif 000011
【図１０】
2008117785.tif 000012
【図１１】
2008117785.tif 000013
【図１２】
2008117785.tif 000014
【図１３】
2008117785.tif 000015
【図１４】
2008117785.tif 000016
【図１５】
2008117785.tif 000017
【図１６】
2008117785.tif 000018
【図１７】
2008117785.tif 000019
【図１８】
2008117785.tif 000020
【図１９】
2008117785.tif 000021
【図２０】
2008117785.tif 000022
【図２１】
2008117785.tif 000023
【図２２】
2008117785.tif 000024
【図２３】
2008117785.tif 000025
【図２４】
2008117785.tif 000026
【図２５】
2008117785.tif 000027
【国際調査報告】
2008117785.tif 000028
2008117785.tif 000029
2008117785.tif 000030
2008117785.tif 000031